(57)【特許請求の範囲】
【請求項１】
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、少なくとも表面部が回転自在であり、
前記ガイド部材は、前記所定方向の一方側から他方側に延びて架設される架設部と、筒部と、を有し、
前記架設部が前記筒部の内部を通っており、
前記筒部は、前記架設部の周りで回転自在とされる
フィルタープレス装置用のガイド器具。
【請求項２】
複数の前記筒部を有し、
複数の前記筒部が、前記架設部に沿って並ぶ
請求項１に記載のフィルタープレス装置用のガイド器具。
【請求項３】
前記架設部は、可撓性を有する可撓性部材からなる
請求項１又は請求項２に記載のフィルタープレス装置用のガイド器具。
【請求項４】
請求項１から請求項３のいずれか一項に記載のフィルタープレス装置用のガイド器具を有するフィルタープレス装置。
【請求項５】
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
前記所定方向の一方側から他方側に延びて架設される架設部と、筒部と、を有し、前記架設部が前記筒部の内部を通っており、前記筒部が、前記架設部の周りで回転自在とされたガイド部材を用い、
前記ガイド部材を前記濾板群の側方に配置し、
前記濾板群から前記残存物が前記ガイド部材に向かって排出された場合に、前記残存物を前記ガイド部材の前記筒部で受けて案内する
フィルタープレス装置における残存物のガイド方法。
【発明の詳細な説明】
【技術分野】
【０００１】
本発明は、フィルタープレス装置のガイド器具、フィルタープレス装置、及びフィルタープレス装置における残存物のガイド方法に関するものである。
【背景技術】
【０００２】
特許文献１には、フィルタープレス装置の一例が開示されている。この種のフィルタープレス装置は、濾板が所定方向に並んで設けられ、複数の濾板が互いに接近及び離間し得る構成をなし、複数の濾板が接近状態で重なって配置されたときに内部に構成される濾室内に泥水等が注入される。
【先行技術文献】
【特許文献】
【０００３】
【特許文献１】特開２００１−６２２１０号公報
【発明の概要】
【発明が解決しようとする課題】
【０００４】
フィルタープレス装置では、隣り合う濾板が接近した状態で、濾板間に構成される濾室内に固液混合体が注入され、その後、隣り合う濾板が離間することで、それらの濾板間に収容されていた残存物が下方に落下するように排出される。しかし、この種のフィルタープレス装置は、残存物の状態、濾板の状態、或いはその他の理由に起因して残存物が円滑に下方に落下せずに、側方に排出される虞がある。このように側方に排出された残存物は、何らかのガイド部材によって受けて下方に案内することが望ましいが、単にガイド部材を当てるだけでは、残存物を円滑に案内できない虞がある。
【０００５】
本開示は、上述した課題の少なくとも一つを解決するために、フィルタープレス装置において残存物を排出する際に、残存物を円滑に下方に案内し得る技術を提供する。
【課題を解決するための手段】
【０００６】
本開示の一つであるフィルタープレス装置用のガイド器具は、
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、少なくとも表面部が回転自在である。
【０００７】
本開示の一つであるフィルタープレス装置用のガイド器具は、
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、少なくとも表面部が揺動自在である。
【０００８】
本開示の一つであるフィルタープレス装置用のガイド器具は、
所定方向に移動する複数の濾板を備えるとともに側方に突出する突出部を備える濾板群と、前記所定方向に延びるとともに前記突出部を支持する支持部材と、を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、前記突出部の上方側において前記突出部から離れて配置される。
【０００９】
本開示の一つであるフィルタープレス装置用のガイド器具は、
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、前記残存物を受けるとともに前記濾板群を側方から覆う板材又はシート材からなる被覆部を有する。
【００１０】
本開示の一つであるフィルタープレス装置は、上記いずれかのフィルタープレス装置用のガイド器具を有する。
【００１１】
本開示の一つであるフィルタープレス装置における残存物のガイド方法は、
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
表面部が回転自在又は揺動自在に設けられたガイド部材を前記濾板群の側方に配置し、
前記濾板群から前記残存物が前記ガイド部材に向かって排出された場合に、前記残存物を前記ガイド部材の前記表面部で受けて案内する。
【００１２】
本開示の一つであるフィルタープレス装置における残存物のガイド方法は、
所定方向に移動する複数の濾板を備えるとともに側方に突出する突出部を備える濾板群と、前記所定方向に延びるとともに前記突出部を支持する支持部材と、を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
ガイド部材を、前記濾板群の側方且つ前記突出部の上方側において前記突出部から離して配置し、
前記濾板群から前記残存物が前記ガイド部材に向かって排出された場合に、前記残存物を前記ガイド部材で受けて案内する。
【００１３】
本開示の一つであるフィルタープレス装置における残存物のガイド方法は、
所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
前記残存物を受けるとともに前記濾板群を側方から覆う板材又はシート材からなる被覆部を有するガイド部材を前記濾板群の側方に配置し、
前記濾板群から前記残存物が前記ガイド部材に向かって排出された場合に、前記残存物を前記ガイド部材で受けて案内する。
【発明の効果】
【００１４】
本開示に係る技術は、フィルタープレス装置において残存物を排出する際に、残存物を円滑に下方に案内することができる。
【図面の簡単な説明】
【００１５】
【図１】図１は、第１実施形態に係るフィルタープレス装置に用いられる濾板構造及びガイド器具等を概略的に例示する斜視図である。
【図２】図２は、図１の一部を拡大して示す拡大図である。
【図３】図１の濾板構造を有するフィルタープレス装置を概念的に示す側面図である。
【図４】図４は、図３のフィルタープレス装置の一部を具体化した一例を概念的に示す説明図である。
【図５】図５は、図３のフィルタープレス装置の一部を上側から見た構成を概念的に例示する説明図である。
【図６】図６は、図３のフィルタープレス装置の一部を前側から見た構成を概念的に例示する説明図である。
【図７】（Ａ）は、第１保持状態のときの隣り合う濾板の組の一つを上側から見た様子を例示する説明図であり、（Ｂ）は、その濾板の組を離間させてケーキ（残存物）を落下させる様子を例示する説明図である。
【図８】（Ａ）は、ガイド部材が無い場合にケーキが傾きながら落下する例を説明する説明図であり、（Ｂ）は、ガイド部材（規制部）がある場合にケーキが傾きながら落下する例を説明する説明図である。
【図９】図９は、第１実施形態に係るフィルタープレス装置の濾板構造において一の濾板と他の濾板が密着した状態で固液混合体が流入した状態を例示する説明図である。
【図１０】第１実施形態に係るフィルタープレス装置の１つの濾板の正面図である。
【図１１】図１１は、図１０の濾板から濾布を省略した状態を例示する正面図である。
【図１２】図１２は、図１０の濾板の背面図である。
【図１３】図１３は、図１２の濾板から濾布を省略した状態を例示する背面図である。
【図１４】図１４は、第２実施形態に係るフィルタープレス装置に用いられる濾板構造及びガイド器具等を概略的に例示する斜視図である。
【図１５】図１５は、第３実施形態に係るフィルタープレス装置に用いられる濾板構造及びガイド器具等を概略的に例示する斜視図である。
【図１６】図１６は、第４実施形態に係るフィルタープレス装置に用いられる濾板構造及びガイド器具等を概略的に例示する斜視図である。
【図１７】図１７は、第５実施形態に係るフィルタープレス装置に用いられる濾板構造及びガイド器具等を概略的に例示する斜視図である。
【図１８】図１８は、第６実施形態に係るフィルタープレス装置に用いられる濾板構造及びガイド器具等を概略的に例示する斜視図である。
【図１９】図１９は、第７実施形態に係るフィルタープレス装置に用いられる濾板構造及びガイド器具等を概略的に例示する斜視図である。
【図２０】図２０は、図１９のフィルタープレス装置の一部を前側から見た構成を概念的に例示する説明図である。
【図２１】図２１は、第８実施形態に係るフィルタープレス装置に用いられる濾板構造及びガイド器具等を概略的に例示する斜視図である。
【図２２】図２２は、図２１のフィルタープレス装置の一部を前側から見た構成を概念的に例示する説明図である。
【図２３】図２３は、第９実施形態に係るフィルタープレス装置に用いられる濾板構造及びガイド器具等を概略的に例示する斜視図である。
【図２４】図２４は、図２３のフィルタープレス装置の一部を前側から見た構成を概念的に例示する説明図である。
【図２５】図２５は、第１０実施形態に係るフィルタープレス装置に用いられる濾板構造及びガイド器具等を概略的に例示する斜視図である。
【図２６】図２６は、図２５のフィルタープレス装置の一部を前側から見た構成を概念的に例示する説明図である。
【図２７】図２７は、他の実施形態の第１例に係るフィルタープレス装置に用いられる濾板構造及びガイド器具等を概略的に例示する斜視図である。
【図２８】図２８は、他の実施形態の第２例に係るフィルタープレス装置に用いられる濾板構造及びガイド器具等を概略的に例示する斜視図である。
【図２９】図２９は、他の実施形態の第３例に係るフィルタープレス装置に用いられる濾板構造及びガイド器具等を概略的に例示する斜視図である。
【発明を実施するための形態】
【００１６】
以下では、本開示の実施形態が列記されて例示される。なお、以下で例示される〔１〕〜〔１８〕の特徴は、矛盾しない範囲でどのように組み合わされてもよい。
【００１７】
〔１〕所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、少なくとも表面部が回転自在である
フィルタープレス装置用のガイド器具。
【００１８】
上記〔１〕のガイド器具は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材の表面部が回転自在であるため、ガイド部材の表面部に残存物が当たった場合に表面部が回転しやすい。このため、上記のガイド器具は、ガイド部材上に残存物の一部が載ったままになったり、ガイド部材からの反力によって残存物に大きな衝撃が加わったりすることを、抑えやすい。よって、上記のガイド器具は、フィルタープレス装置において残存物を排出する際に、残存物を円滑に下方に案内することができる。なお、ガイド部材の表面部は、少なくとも一部が回転自在であればよい。
【００１９】
〔２〕前記ガイド部材は、前記所定方向の一方側から他方側に延びて架設される架設部と、筒部と、を有し、
前記架設部が前記筒部の内部を通っており、
前記筒部は、前記架設部の周りで回転自在とされる
〔１〕に記載のフィルタープレス装置用のガイド器具。
【００２０】
上記〔２〕のガイド器具は、架設部の周りで筒部が回転しやすいため、フィルタープレス装置の収容部から残存物が側方に排出され、この残存物が筒部に当たった場合には、筒部の回転によって残存物が円滑に下方に案内されやすい。
【００２１】
〔３〕複数の前記筒部を有し、
複数の前記筒部が、前記架設部に沿って並ぶ
〔２〕に記載のフィルタープレス装置用のガイド器具。
【００２２】
上記〔３〕のガイド器具は、複数の筒部が架設部に沿って並ぶ構成であるため、各々の筒部の長さを低減しやすく、各々の筒部がより回転しやすくなる。よって、フィルタープレス装置の収容部から残存物が側方に排出され、この残存物がいずれかの筒部に当たった場合には、この筒部が一層回転しやすく、残存物がより円滑に下方に案内されやすい。
【００２３】
〔４〕前記架設部は、可撓性を有する可撓性部材からなる
〔２〕又は〔３〕に記載のフィルタープレス装置用のガイド器具。
【００２４】
上記〔３〕のガイド器具は、架設部が可撓性部材からなるため、架設部が撓みやすい。よって、残存物がガイド部材に当たった場合に、残存物に対する衝撃が緩和されやすい。
【００２５】
〔５〕前記ガイド部材は、少なくとも表面部が揺動自在である
〔１〕から〔４〕のいずれか一項に記載のフィルタープレス装置用のガイド器具。
【００２６】
上記〔５〕のガイド器具は、ガイド部材の表面部が揺動自在であるため、ガイド部材の表面部に残存物が当たった場合に表面部において揺れ動きが生じやすい。このため、上記のガイド器具は、ガイド部材上に残存物の一部が載ったままになったり、ガイド部材からの反力によって残存物に大きな衝撃が加わったりすることを、より一層抑えやすい。
【００２７】
〔６〕所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、少なくとも表面部が揺動自在である
フィルタープレス装置用のガイド器具。
【００２８】
上記〔６〕のガイド器具は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材の表面部が揺動自在であるため、ガイド部材の表面部に残存物が当たった場合に表面部において揺れ動きが生じやすい。このため、上記のガイド器具は、ガイド部材上に残存物の一部が載ったままになったり、ガイド部材からの反力によって残存物に大きな衝撃が加わったりすることを、抑えやすい。よって、上記のガイド器具は、フィルタープレス装置において残存物を排出する際に、残存物を円滑に下方に案内することができる。なお、ガイド部材の表面部は、少なくとも一部が揺動自在であればよい。
【００２９】
〔７〕複数の前記濾板は、側方に突出する突出部を備え、
前記フィルタープレス装置は、前記所定方向に延びるとともに前記突出部を支持する支持部材を有し、
前記ガイド部材は、前記突出部の上方側において前記突出部から離れて配置される
〔１〕から〔６〕のいずれか一項に記載のフィルタープレス装置用のガイド器具。
【００３０】
上記〔７〕のガイド器具は、ガイド部材が突出部から離れて配置されるため、ガイド部材の表面部に残存物が当たった場合に、残存物に対して突出部に起因する反力が加わることを抑えることができる。
【００３１】
〔８〕所定方向に移動する複数の濾板を備えるとともに側方に突出する突出部を備える濾板群と、前記所定方向に延びるとともに前記突出部を支持する支持部材と、を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、前記突出部の上方側において前記突出部から離れて配置される
フィルタープレス装置用のガイド器具。
【００３２】
上記〔８〕のガイド器具は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材が突出部から離れて配置されるため、ガイド部材の表面部に残存物が当たった場合に、残存物に対して突出部に起因する反力が加わることを抑えることができる。このため、上記のガイド器具は、ガイド部材から上記残存物に大きな衝撃が加わることを、抑えやすい。よって、上記のガイド器具は、フィルタープレス装置において残存物を排出する際に、残存物を円滑に下方に案内することができる。
【００３３】
〔９〕前記ガイド部材は、前記残存物を受けるとともに前記濾板群を側方から覆う板材又はシート材からなる被覆部を有する
〔１〕から〔８〕のいずれか一項に記載のフィルタープレス装置用のガイド器具。
【００３４】
上記〔９〕のガイド器具は、残存物を受けるとともに濾板群を側方から覆う板材又はシート材からなる被覆部を有するため、板材又はシート材によって残存物を円滑に案内することができる。しかも、上記のガイド器具は、被覆部が濾板群を側方から覆うため、被覆部付近において液体などが濾板群側から側方へ飛散することを抑えやすい。
【００３５】
〔１０〕所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置に用いられるガイド器具であって、
前記収容部から側方に排出された前記残存物を受けるガイド部材を有し、
前記ガイド部材は、前記残存物を受けるとともに前記濾板群を側方から覆う板材又はシート材からなる被覆部を有する
フィルタープレス装置用のガイド器具。
【００３６】
上記〔１０〕のガイド器具は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材は、残存物を受けるとともに濾板群を側方から覆う板材又はシート材からなる被覆部を有するため、板材又はシート材によって残存物を円滑に案内することができる。しかも、上記のガイド器具は、被覆部が濾板群を側方から覆うため、被覆部付近において液体などが濾板群側から側方へ飛散することを抑えやすい。
【００３７】
〔１１〕前記ガイド部材は、一端側が前記濾板群よりも前記所定方向の一方側の第１支持位置に支持され、他端側が前記濾板群よりも前記所定方向の他方側の第２支持位置に支持され、前記第１支持位置と前記第２支持位置との間で架け渡されている
〔１〕から〔１０〕のいずれか一項に記載のフィルタープレス装置用のガイド器具。
【００３８】
上記〔１１〕のガイド器具では、ガイド部材が濾板群よりも所定方向一方側の第１支持位置と所定方向他方側の第２支持位置との間で架け渡されるため、ガイド部材の表面部に残存物が当たった場合に表面部において揺れ動きが一層生じやすい。
【００３９】
〔１２〕前記ガイド部材は、前記複数の濾板の各々の側部に対向して配置される
〔１〕から〔１１〕のいずれか一項に記載のフィルタープレス装置用のガイド器具。
【００４０】
上記〔１２〕のガイド器具は、複数の濾板の各々の側部に対向するようにガイド部材が配置されるため、濾板の側部よりも側方に残留物が排出された場合に、この残留物がガイド部材に当たりやすい。
【００４１】
〔１３〕前記ガイド部材は、前記濾板群の側部に接触して配置される
〔１〕から〔１２〕のいずれか一項に記載のフィルタープレス装置用のガイド器具。
【００４２】
上記〔１３〕のガイド器具は、濾板群の側部により近い位置にガイド部材を配置することができるため、濾板群の側部から側方に排出されようとする残留物を、より濾板群に近い位置で受けて下方側に案内しやすい。
【００４３】
〔１４〕少なくとも前記濾板群の一方の側方において、複数の前記ガイド部材が位置をずらして配置される〔１〕から〔１３〕のいずれか一項に記載のフィルタープレス装置用のガイド器具。
【００４４】
上記〔１４〕のガイド器具は、残留物をより円滑に案内し得るガイド部材を実現しつつ、ガイド部材によって受けることができる範囲をより広くすることができる。
【００４５】
〔１５〕〔１〕から〔１４〕のいずれか一項に記載のフィルタープレス装置用のガイド器具を有するフィルタープレス装置。
【００４６】
上記〔１５〕のフィルタープレス装置は、〔１〕から〔１４〕のいずれかのガイド器具と同様の効果を奏するフィルタープレス装置を実現することができる。
【００４７】
〔１６〕所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
表面部が回転自在又は揺動自在に設けられたガイド部材を前記濾板群の側方に配置し、
前記濾板群から前記残存物が前記ガイド部材に向かって排出された場合に、前記残存物を前記ガイド部材の前記表面部で受けて案内する
フィルタープレス装置における残存物のガイド方法。
【００４８】
上記〔１６〕のガイド方法は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材の表面部が回転自在又は揺動自在であるため、ガイド部材の表面部に残存物が当たった場合に表面部が回転又は揺動しやすい。このため、上記のガイド器具は、ガイド部材上に残存物の一部が載ったままになったり、ガイド部材からの反力によって残存物に大きな衝撃が加わったりすることを、抑えやすい。よって、上記のガイド方法は、フィルタープレス装置において残存物を排出する際に、残存物を円滑に下方に案内することができる。
【００４９】
〔１７〕所定方向に移動する複数の濾板を備えるとともに側方に突出する突出部を備える濾板群と、前記所定方向に延びるとともに前記突出部を支持する支持部材と、を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
ガイド部材を、前記濾板群の側方且つ前記突出部の上方側において前記突出部から離して配置し、
前記濾板群から前記残存物が前記ガイド部材に向かって排出された場合に、前記残存物を前記ガイド部材で受けて案内する
フィルタープレス装置における残存物のガイド方法。
【００５０】
上記〔１７〕のガイド方法は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材が突出部から離れて配置されるため、ガイド部材の表面部に残存物が当たった場合に、残存物に対して突出部に起因する反力が加わることを抑えることができる。このため、上記のガイド方法は、ガイド部材から上記残存物に大きな衝撃が加わることを、抑えやすい。よって、上記のガイド方法は、フィルタープレス装置において残存物を排出する際に、残存物を円滑に下方に案内することができる。
【００５１】
〔１８〕所定方向に移動する複数の濾板を備えた濾板群を有し、前記複数の濾板が互いに接近しつつ前記所定方向に重なって配置された接近状態のときに前記濾板群の内部に構成される収容部内に固液混合体が注入され、前記複数の濾板が互いに離間した離間状態のときに前記収容部内に収容された前記固液混合体の残存物が排出されるフィルタープレス装置において、前記残存物の排出を案内するガイド方法であって、
前記残存物を受けるとともに前記濾板群を側方から覆う板材又はシート材からなる被覆部を有するガイド部材を前記濾板群の側方に配置し、
前記濾板群から前記残存物が前記ガイド部材に向かって排出された場合に、前記残存物を前記ガイド部材で受けて案内する
フィルタープレス装置における残存物のガイド方法。
【００５２】
上記〔１８〕のガイド方法は、フィルタープレス装置の収容部から残存物が側方に排出された場合に、ガイド部材に当たる位置であれば、ガイド部材によって残存物を受け、残存物がそれ以上側方に移動することを抑えるように案内することができる。しかも、ガイド部材は、残存物を受けるとともに濾板群を側方から覆う板材又はシート材からなる被覆部を有するため、板材又はシート材によって残存物を円滑に案内することができる。しかも、上記のガイド方法は、被覆部が濾板群を側方から覆うため、被覆部付近において液体などが濾板群側から側方へ飛散することを抑えやすい。
【００５３】
＜第１実施形態＞
以下の説明は、第１実施形態に係るフィルタープレス装置用のガイド器具１００、フィルタープレス装置１、及びガイド器具１００を用いたガイド方法に関する。なお、以下の説明で参照される各図面は、技術的特徴を説明するために用いられるものであり、特に特定的な記載がない限り、それのみに限定する趣旨ではなく、単なる説明例である。
【００５４】
（フィルタープレス装置の概要）
次の説明は、フィルタープレス装置１の概要に関する。
図１、図１０で示されるガイド器具１００は、例えば、図１１、図１２のようなフィルタープレス装置１に用いられる。図１１、図１２で示されるフィルタープレス装置１は、固液混合体（例えば、汚泥、掘削土、セメントなどが水中にまざったスラリーなど）を脱水し、固液混合体を脱水した残余物を固めた物体（ケーキ）を排出し得る装置である。
【００５５】
図１１〜図５に示されるように、フィルタープレス装置１は、所定方向に移動する複数の濾板１０を備えた濾板群５を有する。なお、以下の説明では、複数の濾板１０が移動する方向（所定方向）が前後方向である。図５等で示される例では、複数の濾板１０が接近状態となったとき（隣り合う濾板同士が接触する状態となったとき）の各濾板１０の厚さ方向が前後方向とされている。図5等の例では、前後方向において、供給路６２側（固液混合体が注入される側）が前側であり、それとは反対側が後ろ側である。更に、上記前後方向と直交する方向のうち、所定の第１方向が上下方向である。図６等で示される例では、矩形状（具体的には、正面視四角形状）に構成される濾板１０において両側部が延びる方向（縦方向）が上下方向とされている。上下方向は、鉛直上下方向であることが望ましいが、鉛直上下方向に対して若干傾いた方向であってもよい。そして、上記前後方向及び上記上下方向と直交する方向が左右方向である。図６等で示される例では、矩形状に構成される濾板１０の上端部及び下端部が延びる方向が左右方向である。
【００５６】
フィルタ―プレス装置１では、図５、図９のように複数の濾板１０が互いに接近しつつ所定方向（前後方向）に重なって配置された接近状態のときに濾板群５の内部に構成される濾室４０（収容部）内に固液混合体が注入される。そして、フィルタープレス装置１では、複数の濾板１０が互いに離間した離間状態のときに濾室４０（収容部）内に収容された固液混合体の残存物が排出される。
【００５７】
図３〜図５等で示されるように、フィルタープレス装置１は、濾板構造３を用いており、この濾板構造３は、濾板１０を直列に配置した構成をなす。濾板１０は、中心部に貫通孔１６が形成された板状の基板部１１を覆うように濾布１８を張った構成をなしている。フィルタープレス装置１は、濾板構造３を構成する複数の濾板１０を互いに接近及び離間し得る接近離間装置（図３、図４では、詳細な図示は省略）を有している。フィルタープレス装置１は、固液混合体の供給時には、隣り合う濾板１０を互いに密着させた積層状態（図１、図４、図９等参照）で、固液混合体（例えば、泥水等のスラリー）をポンプによって各濾板１０の貫通孔１６に流し込むように加圧圧入する。圧入された固液混合体は、内圧が高い状態で図４、図９等で示される濾室（濾過室）４０内に溜まり、水分が濾布１８の微少の隙間から排出される。そして、隣り合う濾板１０の間(具体的には、隣り合う濾板１０における濾布１８の間)には、ポンプから供給された固液混合体から大量の水分を除去した残余物を固めた固形物（脱水ケーキ）が形成される。なお、濾布１８の目を通って濾板１０の内部に流入した水は、濾板１０内の排水路２８を通って濾板１０の外部（下部）に排出されるようになっている。
【００５８】
（濾板構造）
次の説明は、濾板構造３の詳細に関する。
図９のように、濾板構造３は、複数の濾板１０によって構成される構造である。各々の濾板１０は、自身の板厚方向の一方面側及び他方面側に中央側凹部１２及び周縁側凸部１４がそれぞれ形成されている。
【００５９】
中央側凹部１２は、貫通孔１６の周辺において板厚方向に凹となる部分である。図９等では、各濾板１０に形成された２つの中央側凹部１２のうち、一方面側（環状凸部２４が形成された面側）の凹部を一方の中央側凹部１２Ａ（又は、単に中央側凹部１２Ａ）とし、他方面側（環状凹部３４が形成された面側）の凹部を他方の中央側凹部１２Ｂ（又は、単に中央側凹部１２Ｂ）とする。図１０、図１１のように一方の中央側凹部１２Ａは、正面側から見て外径が矩形状の凹部となっている。図１２、図１３のように他方の中央側凹部１２Ｂは、背面側から見て外径が矩形状の凹部となっている。
【００６０】
周縁側凸部１４は、中央側凹部１２を囲んで枠状に形成されるとともに板厚方向に凸となる形状をなし且つ少なくとも一部が中央側凹部１２の周りに環状に配置される部分である。図１０、図１１のように一方面側（環状凸部２４が形成された面側）の周縁側凸部１４Ａは、正面側から見て矩形状の枠部となっており、濾板１０の周縁部に沿うように四角形状（具体的には正方形状）に配置される。図１２、図１３のように他方面側（環状凹部３４が形成された面側）の周縁側凸部１４Ｂは、正面から見て矩形状の枠部となっており、濾板１０の周縁部に沿うように四角形状（具体的には正方形状）に配置される。
【００６１】
図１０、図１１のように、一方面側（環状凸部２４が形成された面側）の周縁側凸部１４Ａには、中央側凹部１２Ａの周りに環状（具体的には、四角枠状）に配置される第１押圧面２２と、中央側凹部１２Ａの周りに環状（具体的には、四角枠状）に配置されるとともに第１押圧面２２から突出した構成をなす環状凸部２４と、が形成されている。
【００６２】
環状凸部２４は、ゴム、ゴム以外のエラストマーなどの弾性材料によって構成されており、周縁側凸部１４Ａの第１押圧面２２に形成された溝（中央側凹部１２Ａを囲むように形成された溝）内に嵌り込んだ構成で周縁側凸部１４Ａに固定されている。図９のように、環状凸部２４は、当該環状凸部２４が延びる方向と直交する平面方向に切断した断面の外形が外側に凸となるように湾曲した形状をなしている。また、環状凸部２４は、内部に空隙部２４Ａが形成された中空状をなしている。空隙部２４Ａは、濾板１０の厚さ方向において第１押圧面２２の位置よりも外側（厚さ方向の中心よりも遠い側）に形成され、環状凸部２４が延びる方向に沿って延びた構成且つ中央側凹部１２の周りに環状に配置された構成となっている。
【００６３】
図１２、図１３のように、他方面側（環状凹部３４が形成された面側）の周縁側凸部１４Ｂには、中央側凹部１２Ｂの周りに環状（具体的には、四角枠状）に配置される第２押圧面３２と、中央側凹部１２Ｂの周りに環状（具体的には、四角枠状）に配置されるとともに第２押圧面３２から窪んだ構成をなす環状凹部３４と、が形成されている。
【００６４】
図９〜図１３に示されるように、各々の濾板１０において、一方面側（環状凸部２４が形成された面側）の中央側凹部１２Ａと他方面側（環状凹部３４が形成された面側）の中央側凹部１２Ｂとの間を板厚方向に貫通するように貫通孔１６が形成されている。貫通孔１６は、濾板１０の内部を通すように固液混合体を濾板１０の厚さ方向に流動させる流路として機能する。
【００６５】
図９、図１０のように、板厚方向一方面側において貫通孔１６の外側の領域を覆うように濾布１８が配置されており、図９、図１２のように、板厚方向他方面側において貫通孔１６の外側の領域を覆うように濾布１８が配置されている。なお、図９では、第１押圧面２２と第２押圧面３２との間及び環状凸部２４と環状凹部３４との間に介在する２つの濾布１８を省略して示している。図９、図１０、図１２では、濾布１８のうち一方面側（環状凸部２４が形成された面側）を覆うものを濾布１８Ａとし、他方面側（環状凹部３４が形成された面側）のものを濾布１８Ｂとしている。
【００６６】
図９、図１０のように、一方面側（環状凸部２４が形成された面側）の濾布１８Ａは、後述する環状板部１５Ａに固定され、環状板部１５Ａの外側の領域において基板部１１の周縁部に至るまで全体的に配置されている。図９、図１２のように、他方面側（環状凹部３４が形成された面側）の濾布１８Ｂは、後述する環状板部１５Ｂに固定され、環状板部１５Ｂの外側の領域において基板部１１の周縁部に至るまで全体的に配置されている。図９では、濾布１８を二点鎖線にて概念的に示しており、図１０、図１２では、濾布１８を模様の領域として概念的に示している。図９の例では、周縁側凸部１４Ａ，１４Ｂに挟まれた部分にも濾布１８Ａ，１８Ｂが存在するが、この部分の濾布１８Ａ，１８Ｂの図示（二点鎖線の図示）は省略している。図９等の例では、各々の濾板１０において、濾布１８Ａの周縁部と濾布１８Ｂの周縁部とが連結されているが、各々の周縁部が連結されていなくてもよい。濾布１８Ａは、少なくとも、貫通孔１６を外れた領域において中央側凹部１２Ａの内面を覆うように配置されていればよく、濾布１８Ａの被覆領域は図９、図１０、図１２等の構成に限定されない。
【００６７】
フィルタープレス装置１は、図４、図５、図９等で示される濾板構造３を、図７（Ａ）、図９のように隣り合う濾板１０が互いに密着する状態と、図７（Ｂ）のように隣り合う濾板１０が離間する状態とに切り替え得る。なお、図７は、濾板構造３の一部及び一対のガイド部材１０２を上方側から見た構成を簡略的に示す図である。図７（Ａ）は、隣り合う濾板１０が互いに接触する状態を示す図である。図７（Ａ）、図９は、固液混合体が濾板群５内に注入されるときの状態である。図７（Ｂ）は、濾板群５から残存物（脱水ケーキ）が排出されるときの状態である。
【００６８】
複数の濾板１０は、図１、図４、図５のように厚さ方向が揃えられ（即ち、各々の濾板１０の厚さ方向が同方向となるように揃えられ）且つ各々の濾板１０における外周縁の位置（厚さ方向と直交する平面方向における外周縁の位置）が揃えられており、このように揃えられた状態で各濾板１０がレールに沿って動くことにより、複数の濾板１０において隣り合う濾板１０が互いに接近及び離間し得るようになっている。複数の濾板１０が移動する過程では、各濾板１０の左右方向への移動は規制され、各濾板１０の上下方向の移動も規制され、各濾板１０は、例えば厚さ方向を前後方向とする姿勢を保ちながら移動し得る。
【００６９】
複数の濾板１０は、図７（Ａ）、図９のように、一の濾板１０と他の濾板１０とが密着するように重ねられたとき、図９のように一の濾板１０の環状凸部２４が他の濾板１０の環状凹部３４内に入り込んで当該環状凹部３４内の内面を押圧し、一の濾板１０の第１押圧面２２と他の濾板１０の第２押圧面３２とが互いに押圧し合う構成をなす。図９の例では、一の濾板１０の第１押圧面２２と他の濾板１０の第２押圧面３２との間に２つの濾板１０をそれぞれ覆う２つの濾布１８Ａ，１８Ｂが介在し、この状態で、一の濾板１０の第１押圧面２２と他の濾板１０の第２押圧面３２とが押圧し合う。つまり、一の濾板１０の第１押圧面２２と他の濾板１０の第２押圧面３２とが、一の濾板１０の濾布１８Ａ及び他の濾板１０の濾布１８Ｂを介して互いに押圧し合う。そして、環状凸部２４と環状凹部３４との間にも２つの濾板１０をそれぞれ覆う２つの濾布１８Ａ，１８Ｂが介在し、この状態（即ち、環状凸部２４の外面と環状凹部３４の内面との間に濾布１８Ａ，１８Ｂが介在した状態）で、環状凸部２４と環状凹部３４とが押圧し合う。即ち、一の濾板１０の環状凸部２４が、一の濾板１０の濾布１８Ａ及び他の濾板１０の濾布１８Ｂを介して環状凹部３４内の内面を押圧する。
【００７０】
図４、図５、図９のように、固液混合体の投入の際には、濾板群５の各濾板１０が隣り合う濾板１０と密着した積層状態で、図４で示される第１注入装置６０（例えば、ポンプを含んだスラリー供給装置）により貫通孔１６を介して固液混合体が流し込まれる。すると、濾板群５に対して貫通孔１６を介して圧入された固液混合体は、内圧が高い状態で図９等で示される濾室（濾過室）４０内に溜まり、濾室４０では、水分が濾布１８の微少の隙間から基板部１１側（即ち、濾布１８の裏側）に排出される。そして、隣り合う濾板１０の間(具体的には、隣り合う濾板１０における濾布の間)には、残存物としての脱水ケーキが形成される。なお、脱水ケーキは、濾室４０内に注入された固液混合体７からある程度の水分が除去された物体である。
【００７１】
図９のように、各々の濾板１０には、基板部１１が設けられる。基板部１１は、板状に構成される。基板部１１は、２つの中央側凹部１２のうちの一方の中央側凹部１２Ａと２つの周縁側凸部１４のうちの一方の周縁側凸部１４Ａとが一方の板面側（上述の一方面側）に形成されている。更に、基板部１１は、２つの中央側凹部１２のうちの他方の中央側凹部１２Ｂと２つの周縁側凸部１４のうちの他方の周縁側凸部１４Ｂとが他方の板面側（上述の他方面側）に形成されている。そして、濾板１０には、一方の中央側凹部１２Ａの内壁部を覆うように濾布１８Ａが設けられ、他方の中央側凹部１２Ｂの内壁部を覆うように濾布１８Ｂが設けられる。一方の中央側凹部１２Ａ及び他方の中央側凹部１２Ｂにおいて濾布１８の裏側には、濾板１０の外部に通じる排水路２８（一方の排水路２８Ａ及び他方の排水路２８Ｂ）が設けられている。
【００７２】
濾板１０の一方の中央側凹部１２Ａ及び他方の中央側凹部１２Ｂの各々において、各々の深さ方向最深部側の内壁部（内面部）には、液体を自身の板厚方向に通過させる通水部を備えた排水板１３（一方の排水板１３Ａ及び他方の排水板１３Ｂ）がそれぞれ設けられている。排水板１３Ａ，１３Ｂのいずれの通水部も、多数の孔部によって構成されていてもよく、溝や切欠きによって構成されていてもよい。排水板１３Ａ，１３Ｂは、表面側で濾布１８を支持している状態で表面側から裏面側に水が通過し得る構成であればよく、板状体に複数の貫通孔を多数形成したような構成であってもよく、網状の構成などであってもよい。
基板部１１において各々の排水板１３よりも板厚方向（濾板１０の板厚方向）の内側には、各々の排水板１３によって板厚方向の両側が覆われる板状体１１Ａが設けられている。そして、図９のように、一方の周縁側凸部１４Ａは、この板状体１１Ａの一方面側において板状体１１Ａの周縁部に沿って固定される矩形状の枠体となっている。また、他方の周縁側凸部１４Ｂは、この板状体１１Ａの他方面側において板状体１１Ａの周縁部に沿って固定される矩形状の枠体となっている。一方の排水板１３Ａは、その周縁部が板状体１１Ａと周縁側凸部１４Ａを構成する枠体の内縁部との間に挟み込まれた形で固定される。一方の排水板１３Ｂは、その周縁部が板状体１１Ａと周縁側凸部１４Ｂを構成する枠体の内縁部との間に挟み込まれた形で固定される。
【００７３】
板状体１１Ａにおいて各々の排水板１３（一方の排水板１３Ａ及び他方の排水板１３Ｂ）の裏側の所定位置には、濾板１０の外側に通じる排水路２８Ａ，２８Ｂがそれぞれ構成されている。排水路２８Ａ，２８Ｂはいずれも水を通す通水路として構成されている。
【００７４】
一方の中央側凹部１２Ａにおいて濾布１８Ａの裏側に形成された排水路２８Ａは、例えば、図９〜図１１のようになっている。図９〜図１１の例では、基板部１１の一方面側の下端側（設置時における鉛直方向下端側）において、複数の排水路２８Ａが溝状に形成されており、各々の排水路２８Ａにおいて水が流れ得る構成となっている。複数の排水路２８Ａは、一方の端部（上端部）側が排水板１３Ａの裏側に位置し、排水板１３Ａの裏面の一部が各々の排水路２８Ａの内部空間に面している。排水板１３Ａにおいて排水路２８Ａの内部空間と連通する隙間は、当該隙間を通る水が排水路２８Ａに流れ込むような構成となっている。そして、各々の排水路２８Ａの他方の端部（下端部）側は濾板１０の下端部まで達しており、各々の排水路２８Ａの内部空間が濾板１０の外側の空間に連通している。なお、排水板１３Ａの裏面と板状体１１Ａの表面との間には空間が存在し、この空間が各々の排水路２８Ａに連通するようになっていることが望ましく、このように構成されていれば、排水板１３Ａの裏面側に流れ込んだ水分が各々の排水路２８Ａを介して濾板１０の外側に流れやすくなる。
【００７５】
一方の中央側凹部１２Ｂにおいて濾布１８Ｂの裏側に形成された排水路２８Ｂは、例えば、図９、図１２、図１３のようになっている。図９、図１２、図１３の例では、基板部１１の一方面側の下端側（設置時における鉛直方向下端側）において、複数の排水路２８Ｂが溝状に形成されており、各々の排水路２８Ｂにおいて水が流れ得る構成となっている。複数の排水路２８Ｂは、一方の端部（上端部）側が排水板１３Ｂの裏側に位置し、排水板１３Ｂの裏面の一部が各々の排水路２８Ｂの内部空間に面している。排水板１３Ｂにおいて排水路２８Ｂの内部空間と連通する隙間は、当該隙間を通る水が排水路２８Ｂに流れ込むような構成となっている。そして、各々の排水路２８Ｂの他方の端部（下端部）側は濾板１０の下端部まで達しており、各々の排水路２８Ｂの内部空間が濾板１０の外側の空間に連通している。なお、排水板１３Ｂの裏面と板状体１１Ｂの表面との間には空間が存在し、この空間が各々の排水路２８Ｂに連通するようになっていることが望ましく、このように構成されていれば、排水板１３Ｂの裏面側に流れ込んだ水分が各々の排水路２８Ｂを介して濾板１０の外側に流れやすくなる。
【００７６】
なお、図９〜図１３の例では、濾板１０の下端部側に複数の排水路２８を設けた構成を例示したが、濾布１８を通って排水板１３側に流れ込んだ水を濾板１０の外部に排出し得る流路であればよい。
【００７７】
図９〜図１３のように、濾板１０は、基板部１１の一方の中央側凹部１２Ａ内及び他方の中央側凹部１２Ｂ内にそれぞれ固定される一対の環状板部１５Ａ，１５Ｂを有する。そして、環状板部１５Ａ，１５Ｂには、濾板１０の板厚方向に突出する貫通孔側突起部１７Ａ，１７Ｂが形成されている。一方面側の環状板部１５Ａからは、一方面側の貫通孔側突起部１７Ａが複数突出しており、複数の貫通孔側突起部１７Ａは、図１０、図１１のように、貫通孔１６の周囲において貫通孔１６を囲むように配置されている。同様に、他方面側の環状板部１５Ｂからは、他方面側の貫通孔側突起部１７Ｂが複数突出しており、複数の貫通孔側突起部１７Ｂは、図１２、図１３のように、貫通孔１６の周囲において貫通孔１６を囲むように配置されている。貫通孔１６は、一対の環状板部１５Ａ，１５Ｂのうちの一方の環状板部１５Ａ側から他方の環状板部１５Ｂ側に連通する構成で形成されており、具体的には、一対の環状板部１５Ａ，１５Ｂを連結する筒状部の内部が貫通孔１６となっている。この構成では、図９のように、一の濾板１０の一方面側と他の濾板１０の他方面側とが押圧し合うように重ねられたとき、一の濾板１０の一方面側の貫通孔側突起部１７Ａと他の濾板１０の他方面側の貫通孔側突起部１７Ｂとが互いに対向する構成となっている。図２のように一の濾板１０の一方面側の貫通孔側突起部１７Ａと他の濾板１０の他方面側の貫通孔側突起部１７Ｂとが対向したとき、これら貫通孔側突起部１７Ａ，１７Ｂの間隔（先端部の間隔）は、環状板部１５Ａ，１５Ｂの板面間隔よりも小さくなっており、０であってもよい（即ち、対向する貫通孔側突起部１７Ａ，１７Ｂが接触していてもよい）。なお、図２等の例では、対向する貫通孔側突起部１７Ａ，１７Ｂの間には濾布１８が介在しない。
【００７８】
一方の中央側凹部１２Ａ内及び他方の中央側凹部１２Ｂ内には、各々の排水板１３よりも板厚方向に突出する排水板側突起部１９（一方の排水板側突起部１９Ａ及び他方の排水板側突起部１９Ｂ）がそれぞれ形成されている。一方の排水板側突起部１９Ａは、排水板１３Ａ又は板状体１１Ａの少なくともいずれかに固定され、排水板１３Ａの表面よりも板厚方向（濾板１０の板厚方向）に突出した構成をなす。排水板側突起部１９Ａは、自身の突出方向の先端側に近づくにつれて細くなる先細り形状をなしている。図１０、図１１の例では、このような構成をなす複数の排水板側突起部１９Ａが貫通孔１６を囲むように配置されている。他方の排水板側突起部１９Ｂは、排水板１３Ｂ又は板状体１１Ａの少なくともいずれかに固定され、排水板１３Ｂの表面よりも板厚方向（濾板１０の板厚方向）に突出した構成をなす。排水板側突起部１９Ｂは、自身の突出方向の先端側に近づくにつれて細くなる先細り形状をなしている。図１２、図１３の例では、このような構成をなす複数の排水板側突起部１９Ｂが貫通孔１６を囲むように配置されている。そして、図９のように一の濾板１０の一方面側と他の濾板１０の他方面側とが押圧し合うように重ねられたとき、一の濾板１０の一方面側の各々の排水板側突起部１９Ａと他の濾板１０の他方面側の各々の排水板側突起部１９Ｂとが互いに対向する構成となっている。図９のように一の濾板１０の一方面側の排水板側突起部１９Ａと他の濾板１０の他方面側の排水板側突起部１９Ｂとが対向したとき、これら排水板側突起部１９Ａ，１９Ｂの間隔（先端部の間隔）は、互いに対向する排水板１３Ａ、１３Ｂの間隔よりも小さくなっている。なお、図９等の例では、対向する排水板側突起部１９Ａ，１９Ｂの間に濾布１８Ａ，１８Ｂが介在しており、対向する排水板側突起部１９Ａ，１９Ｂによって濾布１８Ａ，１８Ｂが挟み込まれている。
【００７９】
図３〜図５で示されるフィルタープレス装置１は、このような濾板構造３を有している。図４、図５のように、フィルタープレス装置１は、濾板構造３を構成する複数の濾板１０を所定の姿勢（即ち、各々の濾板１０の厚さ方向が同方向となる姿勢且つ各々の濾板１０の外周縁の位置が揃えられた姿勢）で揃えた状態で、ガイドレール９０（ガイドレール９０Ａ，９０Ｂ）に沿って複数の濾板１０を前後方向に移動させ得るようになっており、このような移動動作によって、複数の濾板１０において隣り合う濾板が互いに接近及び離間し得るようになっている。
【００８０】
図１０〜図１３では図示は省略されているが、図１、図２、図５、図６のように、各々の濾板１０には、各々の濾板１０における基板部１１の左右両側部から側方に突出するように張り出す一対の突出部４１，４２が設けられている。これら一対の突出部４１，４２は、一対の被支持部として機能する。一対の突出部４１，４２は、それぞれがガイドレール９０Ａ，９０Ｂ上に載置されつつ支持される。複数の濾板１０では、一対の突出部４１，４２がガイドレール９０Ａ，９０Ｂ上に載置されながら移動する。一対のガイドレール９０Ａ，９０Ｂは、支持部材の一例に相当し、突出部４１，４２を支持するように機能する。各濾板１０は、このような移動時に、図５、図６等で示される所定姿勢を保ちながら前後方向（各々の濾板１０の板厚方向）に移動する。なお、フィルタープレス装置１は、図５、図６のような構成に加え、濾板１０の姿勢を保つための追加機構が設けられていてもよい。
【００８１】
図４、図５のように、フィルタープレス装置１は、上述された濾板構造３に加え、保持装置５０、第１注入装置６０、第２注入装置７０、供給路６２、供給路７２、第１切替部８１、第２切替部８２、などを備える。図４等では、第１注入装置６０は、スラリー供給装置とも称され、第２注入装置７０は、エア供給装置とも称される。供給路６２は、第１注入装置６０から濾板群５へ固液混合体７を供給する経路である、供給路７２は、第２注入装置７０から濾板群５へエアを供給する経路である。第１切替部８１は、供給路６２を第１注入装置６０から濾板群５への固液混合体の供給が可能な状態（開放状態）と固液混合体の供給が不能な状態（遮断状態）とに切り替える装置である。第２切替部８２は、供給路７２を第２注入装置７０から濾板群５へのエアの供給が可能な状態（開放状態）とエアの供給が不能な状態（遮断状態）とに切り替える装置である。なお、図４、図５では図示はされていないが、フィルタープレス装置１は、保持装置５０、第１注入装置６０、第２注入装置７０、第１切替部８１、第２切替部８２の動作（動作タイミングや制御量など）を制御する制御装置（例えばコンピュータなどの情報処理装置）も備える。
【００８２】
保持装置５０は、一対のガイドレール９０（ガイドレール９０Ａ，９０Ｂ）と、駆動装置５４と、固定壁５１，５２とを備えてなり、これらが一体的に組み付けられた構成をなす。駆動装置５４は、濾板群５の端部（固定壁５２側の端部）の濾板１０に作用する作用部５４Ｃと、作用部５４Ｃに連結される駆動軸５４Ｂと、駆動軸５４Ｂを所定方向（濾板群５の各濾板１０の板厚保方向）に移動させる駆動部５４Ａとを備える。駆動部５４Ａが駆動軸５４Ｂを介して作用部５４Ｃを固定壁５１側に移動させることで、複数の濾板１０が所定姿勢を保ちながら固定壁５１側に押し付けられ、図４、図５のように、濾板群５において隣り合う濾板間が互いに接触した状態となる。一方、駆動部５４Ａが駆動軸５４Ｂを介して作用部５４Ｃを固定壁５２側に移動させることで、濾板群５において隣り合う濾板間が互いに離間した状態となる。例えば、複数の濾板１０において隣り合う濾板間の最大間隔が所定間隔となるように間隔を規制する間隔規制部（図示略）が設けられていれば、作用部５４Ｃが濾板群５の端部（固定壁５２側の端部）の濾板１０と係合又は保持しながらその濾板１０を固定壁５２側に移動させようと動作したときに、それぞれの濾板間において隣り合う濾板が離間するように各濾板が移動するようになる。なお、ここで説明される例はあくまで一例であり、複数の濾板１０を所定姿勢（即ち、各々の濾板１０の厚さ方向が同方向となる姿勢且つ各々の濾板１０の外周縁の位置が揃えられた姿勢）で揃えつつ各々の濾板間を接近及び離間し得る構成であれば、保持装置は他の構成としてもよい。
【００８３】
このように、保持装置５０は、作用部５４Ｃを固定壁５１側に移動させることにより、図４、図５のように、複数の濾板１０を重ねた状態で配置しつつ、隣り合う濾板間において片方の濾板１０の環状凸部２４がもう片方の濾板１０の環状凹部３４内に入り込んで当該環状凹部３４内を押圧し且つ片方の濾板１０の第１押圧面２２ともう片方の濾板１０の第２押圧面３２とが互いに押圧し合う保持状態（第１保持状態）で保持することができる。
【００８４】
第１注入装置６０は、図示しない固液混合体収容部（例えば、スラリー収容槽など）から濾板群５側へ固液混合体を移送する移送装置であり、第１切替部８１が開放状態となっており且つ供給路６２が濾板群５の端部の貫通孔１６に連通しているときに、供給路６２を介して濾板群５の内部に固液混合体を注入し得る。第１注入装置６０は、図４、図５のように保持装置５０が濾板群５を第１保持状態で保持しているときに、濾板群５の一端部の濾板１０の貫通孔１６から複数の濾板１０の内部に固液混合体７を注入するように動作する。第１切替部８１は、濾板群５における一端部側での流体の流出入を停止する第１停止状態と、第１停止状態を解除する第１解除状態とに切り替わる装置である。第１切替部８１は、供給路６２（管路）を開放状態と遮断状態とに切り替える公知の電磁弁によって構成されている。第１切替部８１の開放動作及び遮断動作は、例えば図示しない制御装置によって制御される。
【００８５】
第２注入装置７０は、エア（空気）を圧送し得る公知のエア（空気）供給装置として構成されており、第２切替部８２が開放状態となっており且つ供給路７２が濾板群５の端部の貫通孔１６に連通しているときに、供給路７２を介して濾板群５の内部にエア（空気）を注入し得る。第２注入装置７０は、図４、図５のように保持装置５０が濾板群５を第１保持状態で保持しているときに、濾板群５における上記一端部とは反対側の他端部の貫通孔１６から複数の濾板１０の内部にエアを注入するように動作する。第２切替部８２は、濾板群５における他端部側での流体の流出入を停止する第２停止状態と、第２停止状態を解除する第２解除状態とに切り替わる装置である。第２切替部８２は、供給路７２（管路）を開放状態と遮断状態とに切り替える公知の電磁弁によって構成されている。第２切替部８２の開放動作及び遮断動作は、例えば図示しない制御装置によって制御される。
【００８６】
（注入動作及び排出動作）
フィルタープレス装置１では、固液混合体７を注入する前に、保持装置５０が濾板群５を動作させ、濾板群５を上述の第１保持状態で保持する。第１保持状態では、図４、図５、図９のように、複数の濾板１０の各々が、隣り合う濾板１０と互いに密着した状態となる。フィルタープレス装置１では、図５、図９のように保持装置５０が濾板群５を第１保持状態で保持しているときに、第２切替部８２が第２停止状態（供給路７２を遮断した状態）とされ且つ第１切替部８１が第１解除状態（供給路６２を開放した状態）とされ、このような状態で、第１注入装置６０が濾板群５の内部に固液混合体７を注入するように固液混合体注入動作を行う。このような固液混合体注入動作により、濾板群５内に構成された各濾室４０内には固液混合体７が充満し、固液混合体７に含有された水の一部は排水路２８から排出される。なお、各装置の動作タイミングや動作時間等は図示しない制御装置によって制御される。
【００８７】
フィルタープレス装置１では、第１注入装置６０が濾板群５に固液混合体７を注入した後、保持装置５０が、図４、図５、図９のような第１保持状態を保ちつつ、第１切替部８１が第１停止状態（供給路６２を遮断した状態）に切り替えられ、第２切替部８２が第２開放状態（供給路７２を開放した状態）に切り替えられ、このような状態で、第２注入装置７０が濾板群５の内部にエアを注入するようにエア注入動作を行う。このようなエア注入動作により、濾板群５内に構成された各濾室４０内にはエアが供給され、エアの圧力により、濾室４０内に残存する固液混合体７からの水の排出が促進される。具体的には、エア注入動作の際には、濾板群５の他端部の貫通孔１６側から各々の濾板１０の排水路２８側へとエアが流され、濾板群５の内部に存在する固液混合体７の液体（水分）がエアと共に排水路２８を介して濾板群５の外部に排出される。なお、各装置の動作タイミングや動作時間等は図示しない制御装置によって制御される。
【００８８】
フィルタープレス装置１は、固液混合体注入動作の後（具体的にはエア注入動作の後）に濾室４０内に残存する残存物（脱水ケーキ）を排出する排出動作を行う。フィルタープレス装置１では、エア注入動作の後、保持装置５０の駆動部５４Ａが駆動軸５４Ｂを介して作用部５４Ｃを前後方向他方側（固定壁５２側）に移動させることで、濾板群５において隣り合う濾板間が互いに離間した状態となる。具体的には、排出動作の際には、保持装置５０は、濾板群５の端部の濾板１０から各濾板１０を順番に前後方向他方側（駆動部５４Ａ側）に移動させる。この排出動作時には、保持装置５０が各濾板１０を順番に前後方向他方側に移動させる過程において、各濾板１０の付近において図７（Ａ）から図７（Ｂ）のように変化し、直近に前後方向他方側への移動を開始した濾板１０とその濾板１０の前後方向一方側に隣接する濾板１０（次に前後方向他方側への移動が予定される濾板１０）との間で残留物（脱水ケーキ７Ａ）が下方に排出される。即ち、直近に移動し始めた濾板１０が、静止状態で維持されている次の濾板１０から離間した際に、それら２つの濾板１０の間に保持されていた残留物（脱水ケーキ７Ａ）が下方に落下する。保持装置５０は、排出動作の際に、直近に前後方向他方側に移動し始めた濾板１０と、次の濾板１０（直近に前後方向他方側に移動し始めた濾板１０の前後方向一方側に隣接する濾板１０）との間隔が最大間隔になると、複数の濾板１０に取り付けられた間隔規制部材が次の濾板１０を前後方向他方側に移動させるように、各濾板１０を順番に前後方向他方側に移動させる。
【００８９】
このような排出動作により、図７（Ｂ）のように隣り合う濾板間の距離を大きくして残存物（脱水ケーキ７Ａ）を下方に落とすような排出動作を行うことができる。図７（Ａ）（Ｂ）のように、隣り合う２つの濾板１０，１０が接近状態から離間状態に変化する過程では、各濾板１０の左右方向への移動は規制され、各濾板１０の上下方向の移動も規制され、各濾板１０は、例えば板厚方向を前後方向とし且つ図６のように両側部１０Ａが延びる方向を上下方向とする姿勢を保ちながら移動し得る。なお、各濾板１０が移動する過程では、各濾板１０の若干の姿勢変化は許容されてもよい。各濾板１０の側部１０Ａは、濾板群５の側部５Ａを構成する。具体的には、複数の濾板１０の一方側の側部１０Ａが前後に並んで配置され、濾板群５の一方側の側部５Ａを構成する。同様に、複数の濾板１０の他方側の側部１０Ａが前後に並んで配置され、濾板群５の他方側の側部５Ａを構成する。
【００９０】
（ガイド器具）
次の説明は、第１実施形態に係るガイド器具１００及びガイド方法に関する。
フィルタープレス装置１では、ガイド器具１００を用いたガイド方法によって濾室４０から排出される残存物（脱水ケーキ）をガイドすることができる。このガイド方法では、フィルタープレス装置１の本体部（フィルタープレス装置１の全体からガイド器具１００を除いた部分）に対し、表面部が回転自在且つ揺動自在に設けられたガイド部材１０２を濾板群５の側方に配置する。具体的には、ガイド部材１０２を、濾板群５の側方且つ突出部４２の上方側において突出部４２から離して配置する。そして、上述の排出動作の際に、例えば、図８（Ｂ）のように、濾板群５から残存物がガイド部材１０２に向かって排出された場合に、この残存物をガイド部材１０２の表面部で受けつつ下方に落とすように案内する。残存物は、例えば上述の脱水ケーキ７Ａである。
【００９１】
図１、図２等で示されるガイド器具１００は、上述の排出動作の際に濾室４０（収容部）から残存物（脱水ケーキ）が排出された場合において、残存物（脱水ケーキ）がガイド器具１００に当たる程度に側方に排出された場合に、残存物がガイド器具１００よりも更に側方に移動することを抑える器具である。図１のように、ガイド器具１００は、主として、ガイド部材１０２と、ガイド部材１０２を保持する保持部１３０とを有する。
【００９２】
ガイド部材１０２は、濾室４０（収容部）から残存物（脱水ケーキ）が側方に排出された場合に、この残存物を受ける部材であり、残存物の側方への移動を抑制するように案内するガイド具である。ガイド部材１０２は、少なくとも表面部が回転自在である。また、ガイド部材１０２は、少なくとも表面部が揺動自在である。ガイド部材１０２は、架設部１１０と筒部１２０とを有する。
【００９３】
図１、図５のように、架設部１１０は、所定方向（前後方向）の一方側から他方側に延びて架設される部分である。架設部１１０は、可撓性を有する可撓性部材からなる。可撓性部材は、索、紐、縄、綱、鎖など、どのような概念のものであってもよく、これらのうちの１種又は２種以上のものがまとめられた構成であってもよい。以下の代表例では、架設部１１０は、例えば、ワイヤーロープによって構成されている。
【００９４】
図５のように、各ガイド部材１０２の各架設部１１０は、濾板群５の前後方向一方側に配置された固定壁５１と濾板群５の前後方向他方側に配置された固定壁５２との間に架け渡されている。架設部１１０は、若干の撓みや若干の揺動が許容される。保持部１３０は、前後方向一方側の保持部１３１と前後方向他方側の保持部１３２とを有する。架設部１１０の一端は、濾板群５よりも前後方向一方側において保持部１３１によって所定の高さ且つ左右方向所定位置に固定されている。架設部１１０の他端は、濾板群５よりも前後方向他方側において保持部１３２によって所定の高さ且つ左右方向所定位置に固定されている。保持部１３１，１３２は、架設部１１０を固定壁５１に固定し得る構成のものであればよい。保持部１３１，１３２は、ねじやボルト等の締結部材によって架設部１１０を固定壁５１，５２にそれぞれ固定する構成であってもよく、固定壁５１に形成された係止部（凸部等）によって架設部１１０を固定壁５１，５２に引っ掛ける構成であってもよく、溶接などによって架設部１１０を固定壁５１，５２に接合する構成であってもよく、その他の方法で固定されていてもよい。架設部１１０は、筒部１２０の内部を通っている。
【００９５】
図１、図２のように、筒部１２０は、ガイド部材１０２の表面部を構成する部分である。具体的には、筒部１２０の外周部がガイド部材１０２の表面部である。図１、図２等の例では、各筒部１２０は、円筒として構成されている。筒部１２０の外面及び内面は、所定の中心軸を中心とする円筒面である。筒部１２０は、前後方向に沿って配置された状態で、架設部１１０の周りを回転し得る。このように、筒部１２０が架設部１１０の周りで回転自在とされるため、ガイド部材１０２の表面部が回転可能となっている。ガイド部材１０２は、複数の筒部１２０を有する。複数の筒部１２０は、いずれも前後方向に沿って配置される。具体的には、複数の筒部１２０は、いずれも濾板群５の側部５Ａに沿って配置され、架設部１１０に沿って並ぶ。複数の筒部１２０における各々の筒部１２０は、隣り合う筒部１２０と端部を対向させた状態で並ぶ。各々の筒部１２０は、他の筒部１２０とは独立して回転し得る。各々の筒部１２０は、他の筒部１２０とは独立して揺動し得る。
【００９６】
図５のように、フィルタープレス装置１は、一対のガイドレール９０Ａ，９０Ｂのそれぞれが、各々の濾板１０の両側部１０Ａ，１０Ａに対向してそれぞれ配置されるとともに上記厚さ方向（前後方向）に沿って延びている。具体的には、ガイドレール９０Ａは、濾板群５の一方側の側部５Ａに対向して配置されるとともに前後方向に沿って延び、ガイドレール９０Ｂは、濾板群５の他方側の側部５Ａに対向して配置されるとともに前後方向に沿って延びている。一対のガイドレール９０Ａ，９０Ｂは、各濾板１０の厚さ方向が前後方向に沿った向きとなるように複数の濾板１０を並べた状態で、各濾板１０の姿勢を所定姿勢（厚さ方向が前後方向となり、側部１０Ａが上下方向に沿った向きとなる姿勢）から大きく変化させないように保ちながら、各々の濾板１０の移動方向が上記前後方向となるようにガイドする。具体的には、濾板群５を構成する各濾板１０は、左右方向一方側に突出する突出部４１と、左右方向他方側に突出する突出部４２とを備えている。そして、各濾板１０の各突出部４１は、ガイドレール９０Ａ上に載置されている。各濾板１０の各突出部４２は、ガイドレール９０Ｂ上に載置されている。ガイドレール９０Ａの上面（載置面）は、例えば上下方向と直交する平面方向の平坦面である。ガイドレール９０Ｂの上面（載置面）は、例えば上下方向と直交する平面方向の平坦面である。各濾板１０の各突出部４１は、ガイドレール９０Ａの上面に載置され、当該上面に支持されながら当該上面に沿って移動する。各濾板１０の各突出部４２は、ガイドレール９０Ｂの上面に載置され、当該上面に支持されながら当該上面に沿って移動する。
【００９７】
濾板群５の左右方向両側に配置される一対のガイド部材１０２，１０２は、それぞれが前後方向一方側から他方側に向かうように前後方向に沿って延びている。一対のガイド部材１０２，１０２は、それぞれが各々の濾板１０における上下方向中央位置よりも上側の位置において各々の濾板１０の両側部１０Ａ，１０Ａに対向してそれぞれ配置される。
【００９８】
図５、図６のように、濾板群５の左右方向一方側に配置されるガイド部材１０２は、各濾板１０の左右方向一方側に突出する各突出部４１の上方側において各突出部４１から離れて配置される。従って、左右方向一方側に配置されるガイド部材１０２は、左右方向一方側に突出する各突出部４１と上下に対向しつつ、これら突出部４１に接触しない位置関係をなす。より具体的には、左右方向一方側に配置されるガイド部材１０２は、濾室４０の上端よりも下位置に配置され、各突出部４１よりも上位置に配置される。左右方向一方側のガイド部材１０２は、濾板群５の左右方向一方側の側部５Ａに接触して配置されている。具体的には、左右方向一方側のガイド部材１０２は、左右方向一方側に設けられた複数の側部１０Ａに跨って配置され、各々の側部１０Ａにそれぞれ接触して配置されている。
【００９９】
図１、図２、図５、図６のように、濾板群５の左右方向他方側に配置されるガイド部材１０２は、各濾板１０の左右方向他方側に突出する各突出部４２の上方側において各突出部４１から離れて配置される。従って、図１のように、左右方向他方側に配置されるガイド部材１０２は、左右方向他方側に突出する各突出部４２と上下に対向しつつ、これら突出部４２に接触しない位置関係をなす。より具体的には、左右方向他方側に配置されるガイド部材１０２は、濾室４０の上端よりも下位置に配置され、各突出部４２よりも上位置に配置される。左右方向他方側のガイド部材１０２は、濾板群５の左右方向他方側の側部５Ａに接触して配置されている。具体的には、左右方向他方側のガイド部材１０２は、左右方向他方側に設けられた複数の側部１０Ａに跨って配置され、各々の側部１０Ａにそれぞれ接触して配置されている。
【０１００】
一対のガイド部材１０２，１０２はいずれも、一端側が濾板群５よりも所定方向（前後方向）の一方側の第１支持位置に支持され、他端側が濾板群５よりも所定方向（前後方向）の他方側の第２支持位置に支持されている。そして、一対のガイド部材１０２，１０２はいずれも、上記第１支持位置と上記第２支持位置との間で架け渡されている。第１支持位置は、一対の保持部１３１，１３１の各位置である。第２支持位置は、一対の保持部１３２，１３２の各位置である。具体的には、左右方向一方側のガイド部材１０２は、左右方向一方側の第１支持位置（左右方向一方側の保持部１３１の位置）と左右方向一方側の第２支持位置（左右方向一方側の保持部１３２の位置）との間で架け渡されている。同様に、左右方向他方側のガイド部材１０２は、左右方向他方側の第１支持位置（左右方向他方側の保持部１３１の位置）と左右方向他方側の第２支持位置（左右方向他方側の保持部１３２の位置）との間で架け渡されている。具体的には、左右方向一方側の架設部１１０は、左右方向一方側の第１支持位置（左右方向一方側の保持部１３１の位置）と左右方向一方側の第２支持位置（左右方向一方側の保持部１３１の位置）に架け渡されている。左右方向他方側の架設部１１０は、左右方向他方側の第１支持位置（左右方向他方側の保持部１３１の位置）と左右方向他方側の第２支持位置（左右方向他方側の保持部１３２の位置）に架け渡されている。一対のガイド部材１０２，１０２のいずれにおいても、各架設部１１０の一端（前端）が濾板群５よりも前側の位置において各保持部１３１固定され、各架設部１１０の他端が濾板群５よりも後ろ側の位置において各保持部１３２に固定されている。
【０１０１】
フィルタープレス装置１は、上述の排出動作を行う場合、複数の濾板１０が順番に移動することで、各濾板１０が隣り合う濾板１０と離間する。そして、２つの濾板１０が互いに離間する際に、各濾板１０が姿勢を大きく変えずに所定姿勢（各濾板１０の側部１０Ａの向きを上下方向に沿った向きで維持する姿勢）を保ちながら離間すれば、残存物（脱水ケーキ）は姿勢を大きく変えずに落下しやすい。しかし、水分、摩擦、固化度合いなどの影響を受け、図８（Ｂ）のように残存物（脱水ケーキ７Ａ）が傾きながら落下したり、側方に移動しながら落下することも想定される。しかし、排出される残存物（脱水ケーキ７Ａ）が傾きながら横に外れるように落ちようとしても、図８（Ｂ）のように、ガイド部材１０２に当たる位置であれば、ガイド部材１０２によって残存物（脱水ケーキ）の傾斜及び横への移動を規制しながら下方に落とすことができる。このようなガイド部材１０２，１０２が存在しないと、図８（Ａ）のように、ガイドレール９０の上面部や側方に多量のケーキが落ちてしまう虞があるが、図８（Ａ）のような構成によれば、このような問題が抑えられる。
【０１０２】
（効果の例示）
次の説明は、本実施形態の効果の一例に関する。
図８（Ｂ）のように、ガイド器具１００は、フィルタープレス装置１の収容部（濾室４０）から残存物（脱水ケーキ７Ａ）が側方に排出された場合に、ガイド部材１０２に当たる位置であれば、ガイド部材１０２によって残存物（脱水ケーキ７Ａ）を受け、残存物（脱水ケーキ７Ａ）がそれ以上側方に移動することを抑えるように案内することができる。しかも、ガイド部材１０２の表面部が回転自在であるため、図８（Ｂ）のようにガイド部材１０２の表面部に残存物が当たった場合に表面部が回転しやすい。このため、ガイド器具１００は、ガイド部材１０２上に残存物（脱水ケーキ７Ａ）の一部が載ったままになったり、ガイド部材１０２からの反力によって残存物（脱水ケーキ７Ａ）に大きな衝撃が加わったりすることを、抑えやすい。よって、ガイド器具１００は、フィルタープレス装置１において残存物（脱水ケーキ７Ａ）を排出する際に、残存物（脱水ケーキ７Ａ）を円滑に下方に案内することができる。
【０１０３】
ガイド器具１００は、架設部１１０の周りで筒部１２０が回転しやすいため、フィルタープレス装置１の収容部（脱水ケーキ７Ａ）から残存物（脱水ケーキ７Ａ）が側方に排出され、この残存物（脱水ケーキ７Ａ）が筒部１２０に当たった場合には、筒部１２０の回転によって残存物（脱水ケーキ７Ａ）が円滑に下方に案内されやすい。
【０１０４】
ガイド器具１００は、複数の筒部１２０が架設部１１０に沿って並ぶ構成であるため、各々の筒部１２０の長さを低減しやすく、各々の筒部１２０がより回転しやすくなる。よって、フィルタープレス装置１の収容部（濾室４０）から残存物（脱水ケーキ７Ａ）が側方に排出され、この残存物（脱水ケーキ７Ａ）がいずれかの筒部１２０に当たった場合には、この筒部１２０が一層回転しやすく、残存物（脱水ケーキ７Ａ）がより円滑に下方に案内されやすい。
【０１０５】
ガイド器具１００は、架設部１１０が可撓性部材からなるため、架設部１１０が撓みやすい。よって、残存物（脱水ケーキ７Ａ）がガイド部材１０２に当たった場合に、残存物（脱水ケーキ７Ａ）に対する衝撃が緩和されやすい。
【０１０６】
ガイド器具１００は、ガイド部材１０２の表面部が揺動自在であるため、ガイド部材１０２の表面部に残存物が当たった場合に表面部において揺れ動きが生じやすい。このため、ガイド器具１００は、ガイド部材１０２上に残存物（脱水ケーキ７Ａ）の一部が載ったままになったり、ガイド部材１０２からの反力によって残存物（脱水ケーキ７Ａ）に大きな衝撃が加わったりすることを、より一層抑えやすい。
【０１０７】
ガイド器具１００は、ガイド部材１０２が突出部４２から離れて配置されるため、ガイド部材１０２の表面部に残存物（脱水ケーキ７Ａ）が当たった場合に、残存物（脱水ケーキ７Ａ）に対して突出部４２に起因する反力が加わることを抑えることができる。
【０１０８】
ガイド器具１００は、ガイド部材１０２が濾板群５よりも所定方向（前後方向）一方側の第１支持位置と所定方向他方側の第２支持位置との間で架け渡される構成である。このため、ガイド部材１０２の表面部に残存物（脱水ケーキ７Ａ）が当たった場合に表面部において揺れ動きが一層生じやすい。
【０１０９】
ガイド器具１００は、複数の濾板１０の各々の側部１０Ａに対向するようにガイド部材１０２が配置されるため、濾板１０の側部１０Ａよりも側方に残留物が排出された場合に、この残留物がガイド部材１０２に当たりやすい。
【０１１０】
ガイド器具１００は、濾板群５の側部５Ａに対し、より近い位置にガイド部材１０２を配置することができるため、濾板群５の側部５Ａから側方に排出されようとする残留物（脱水ケーキ７Ａ）を、より濾板群５に近い位置で受けて下方側に案内しやすい。
【０１１１】
＜第２実施形態＞
次の説明は、第２実施形態に係るフィルタープレス装置１及びガイド器具２００に関する。第２実施形態に関する説明では、主に、図１４が参照される。第２実施形態のフィルタープレス装置１は、ガイド器具１００をガイド器具２００に変更した点のみが第１実施形態のフィルタープレス装置１と異なり、その他の点（構成、動作、その他の内容等）は、第１実施形態のフィルタープレス装置１と同一である。第２実施形態に係るフィルタープレス装置１においてガイド器具１００以外の構成は、図３〜図１３に示されるフィルタープレス装置１と同一である。よって、適宜これらの図が参照される。
【０１１２】
第２実施形態のフィルタープレス装置１では、ガイド器具２００を用いたガイド方法によって濾室４０から排出される残存物（脱水ケーキ）をガイドすることができる。このガイド方法では、フィルタープレス装置１の本体部（フィルタープレス装置１の全体からガイド器具２００を除いた部分）に対し、表面部が回転自在且つ揺動自在に設けられたガイド部材２０２を濾板群５の側方に配置する。具体的には、ガイド部材２０２を、濾板群５の側方且つ突出部４２の上方側において突出部４２から離して配置する。そして、フィルタープレス装置１での排出動作の際に、濾板群５から残存物（脱水ケーキ）がガイド部材２０２に向かって排出された場合に、この残存物（脱水ケーキ）をガイド部材２０２の表面部で受けつつ下方に落とすように案内する。
【０１１３】
図１４のガイド器具２００のガイド部材２０２は、複数のガイド部材２０２Ａ，２０２Ｂによって構成される。複数のガイド部材２０２Ａ，２０２Ｂは、濾板群５の一方（左右方向他方側）の側方において位置をずらして配置される。具体的には、２つのガイド部材２０２Ａ，２０２Ｂは、左右方向に位置をずらして配置される。一方のガイド部材２０２Ａは、第１実施形態における左右方向他方側のガイド器具１００のガイド部材１０２と構成及び配置が同一である。他方のガイド部材２０２Ｂは、第１実施形態のガイド部材１０２と構成が同一であり、このガイド部材１０２とは配置が異なる。具体的には、他方のガイド部材２０２Ｂは、一方のガイド部材２０２Ａよりも濾板群５の側部５Ａから遠い位置に配置される。なお、図１４の例では、一方のガイド部材２０２Ａと他方のガイド部材２０２Ｂが同一の高さとなっていたが、互いに高さが異なっていてもよい。例えば、他方のガイド部材２０２Ｂのほうが高く配置され、ガイド部材２０２Ｂとガイド部材２０２Ａとが、内側（濾板群５側）が下がるような段差状態となっていてもよい。このようになっていれば、両ガイド部材２０２Ａ，２０２Ｂに接触するように残存物が当たった場合に、内側の下方に滑るように案内されやすい。
【０１１４】
なお、図１４の例では、濾板群５の左右方向他方側にガイド器具２００が設けられているが、濾板群５の左右方向一方側に図１４と同様のガイド器具２００が設けられていてもよい。
【０１１５】
＜第３実施形態＞
次の説明は、第３実施形態に係るフィルタープレス装置１及びガイド器具３００に関する。第３実施形態に関する説明では、主に、図１５が参照される。第３実施形態のフィルタープレス装置１は、ガイド器具１００をガイド器具３００に変更した点のみが第１実施形態のフィルタープレス装置１と異なり、その他の点（構成、動作、その他の内容等）は、第１実施形態のフィルタープレス装置１と同一である。第３実施形態に係るフィルタープレス装置１においてガイド器具１００以外の構成は、図３〜図１３に示されるフィルタープレス装置１と同一である。よって、適宜これらの図が参照される。
【０１１６】
第３実施形態のフィルタープレス装置１では、ガイド器具３００を用いたガイド方法によって濾室４０から排出される残存物（脱水ケーキ）をガイドすることができる。このガイド方法では、フィルタープレス装置１の本体部（フィルタープレス装置１の全体からガイド器具３００を除いた部分）に対し、表面部が回転自在且つ揺動自在に設けられたガイド部材３０２を濾板群５の側方に配置する。具体的には、ガイド部材３０２を、濾板群５の側方且つ突出部４２の上方側において突出部４２から離して配置する。そして、フィルタープレス装置１での排出動作の際に、濾板群５から残存物（脱水ケーキ）がガイド部材３０２に向かって排出された場合に、この残存物（脱水ケーキ）をガイド部材３０２の表面部で受けつつ下方に落とすように案内する。フィルタープレス装置１での排出動作は、第１実施形態と同様である。なお、排出動作時に残存物（脱水ケーキ）がガイド部材３０２側に向かわずにそのまま落下する場合には、ガイド部材３０２によるガイドは、なされなくてよい。
【０１１７】
図１５で示されるガイド器具３００は、フィルタープレス装置１が行う上述の排出動作の際に濾室４０（収容部）から残存物（脱水ケーキ）が排出された場合において、残存物（脱水ケーキ）がガイド器具３００に当たる程度に側方に排出された場合に、残存物がガイド器具３００よりも更に側方に移動することを抑える器具である。ガイド器具３００は、主として、ガイド部材３０２と、ガイド部材３０２を保持する保持部とを有する。
【０１１８】
ガイド部材３０２は、複数のガイド部材３０２Ａ，３０２Ｂを有する。複数のガイド部材３０２Ａ，３０２Ｂの各々は、第１実施形態に関して説明された上述のガイド部材１０２（図１等）と同一の構成をなす。一方のガイド部材３０２Ｂは、第１実施形態における左右方向他方側のガイド部材１０２（図１等）と構成及び配置が同一である。他方のガイド部材３０２Ａは、上記の左右方向他方側のガイド部材１０２（図１等）と構成が同一であり、このガイド部材１０２とは配置が異なる。図１５のガイド器具３００は、複数のガイド部材３０２Ａ，３０２Ｂが、濾板群５の一方（左右方向他方側）の側方において上下方向に位置をずらして配置される。他方のガイド部材３０２Ａは、一方のガイド部材３０２Ｂよりも下位置であって且つ各突出部４２よりも上位置に配置される。複数のガイド部材３０２Ａ，３０２Ｂはいずれも、濾室４０の上端よりも下位置に配置される。図１５の例では、一方のガイド部材３０２Ｂは、複数の濾板１０の各々の側部１０Ａに対向して配置され、複数の濾板１０の各々の側部１０Ａにそれぞれ接触する構成で、濾板群５の側部５Ａに接触して配置される。他方のガイド部材３０２Ａも、複数の濾板１０の各々の側部１０Ａに対向して配置され、複数の濾板１０の各々の側部１０Ａにそれぞれ接触する構成で、濾板群５の側部５Ａに接触して配置される。
【０１１９】
ガイド部材３０２Ａ，３０２Ｂは、濾室４０（収容部）から残存物（脱水ケーキ）が側方に排出された場合に、この残存物を受ける部材であり、残存物の側方への移動を抑制するように案内するガイド具である。ガイド部材３０２Ａ，３０２Ｂはいずれも、少なくとも表面部が回転自在である。また、ガイド部材３０２Ａ，３０２Ｂはいずれも、少なくとも表面部が揺動自在である。そして、ガイド部材３０２Ａ，３０２Ｂはいずれも、突出部４２の上方側において突出部４２から離れて配置される。
【０１２０】
ガイド部材３０２Ａは、一端側が濾板群５よりも所定方向（前後方向）の一方側の第１支持位置に支持され、他端側が濾板群５よりも所定方向（前後方向）の他方側の第２支持位置に支持され、第１支持位置と第２支持位置との間で架け渡されている。ガイド部材３０２Ｂも、一端側が濾板群５よりも所定方向（前後方向）の一方側の第１支持位置に支持され、他端側が濾板群５よりも所定方向（前後方向）の他方側の第２支持位置に支持され、第１支持位置と前記第２支持位置との間で架け渡されている。なお、ガイド部材３０２Ａに着目した場合の第１支持位置とガイド部材３０２Ｂに着目した場合の第１支持位置は異なり、ガイド部材３０２Ａに着目した場合の第２支持位置とガイド部材３０２Ｂに着目した場合の第２支持位置は異なる。
【０１２１】
ガイド部材３０２Ａ，３０２Ｂはいずれも、架設部１１０と筒部１２０とを有する。いずれの架設部１１０も、第１実施形態に係る上述のガイド部材１０２（図１等）の架設部１１０と同一の構成をなし、所定方向（前後方向）の一方側から他方側に延びて架設される可撓性部材からなる。ガイド部材３０２Ａ，３０２Ｂのいずれの架設部１１０も、第１実施形態に係る保持部１３０（図５）と同様の構成によって固定壁５１及び固定壁５２に固定されている。ガイド部材３０２Ａ，３０２Ｂのいずれの筒部１２０も、第１実施形態に係る上述の筒部１２０（図１等）と同一の構成をなす。ガイド部材３０２Ａ，３０２Ｂのいずれにおいても、架設部１１０が筒部１２０の内部を通っており、筒部１２０は、架設部１１０の周りで回転自在とされる。ガイド部材３０２Ａ，３０２Ｂの各々は、複数の筒部１２０を有しており、ガイド部材３０２Ａ，３０２Ｂのいずれにおいても複数の筒部１２０が、架設部１１０に沿って並ぶ。
【０１２２】
本実施形態では、少なくとも濾板群５の一方の側方において、複数のガイド部材３０２Ａ，３０２Ｂが位置をずらして配置される。このような構成であるため、ガイド器具３００は、残留物（脱水ケーキ）をより円滑に案内し得るガイド部材を実現しつつ、ガイド部材３０２Ａ，３０２Ｂによって受けることができる範囲をより広くすることができる。より具体的には、ガイド部材３０２Ａ，３０２Ｂが、上下に位置をずらして配置されているため、残留物（脱水ケーキ）を受けることができる上下の範囲をより広くすることができる。
【０１２３】
なお、図１５の例では、一方のガイド部材３０２Ａと他方のガイド部材３０２Ｂとが左右方向において同じ位置になっていたが、左右方向の位置がずれていてもよい。
【０１２４】
また、図１５の例では、濾板群５に対して左右方向他方側にガイド器具３００が設けられているが、濾板群５に対して左右方向一方側に図１５の例と同様の構成をなすガイド器具３００が設けられていてもよい。
【０１２５】
＜第４実施形態＞
次の説明は、第４実施形態に係るフィルタープレス装置１及びガイド器具４００に関する。第４実施形態に関する説明では、主に、図１６が参照される。第４実施形態のフィルタープレス装置１は、ガイド器具１００をガイド器具４００に変更した点及び突出部４２に凹部４２Ａを設けた点のみが第１実施形態のフィルタープレス装置１と異なり、その他の点（構成、動作、その他の内容等）は、第１実施形態のフィルタープレス装置１と同一である。第４実施形態に係るフィルタープレス装置１においてガイド器具１００以外の構成は、図３〜図１３に示されるフィルタープレス装置１と同一である。よって、適宜これらの図が参照される。
【０１２６】
図１６に開示されるガイド器具４００は、第１実施形態に関して説明されたガイド部材１０２と同一のガイド部材１０２を有するが、第１実施形態とはガイド部材１０２の配置が異なっている。図１６の例でも、ガイド部材１０２は、少なくとも表面部が回転自在とされている。具体的には、各筒部１２０が各突出部４２上に載置されつつ各突出部４２上で回転可能とされている。図１６の例では、ガイド部材１０２が各濾板１０の各突出部４２上に載置されている。ガイド部材１０２の両端は、図５における保持部１３０（固定部）と同様の構成で固定壁５１，５２に固定されている。
【０１２７】
＜第５実施形態＞
次の説明は、第５実施形態に係るフィルタープレス装置１及びガイド器具５００に関する。第５実施形態に関する説明では、主に、図１７が参照される。第５実施形態のフィルタープレス装置１は、ガイド器具１００をガイド器具５００に変更した点のみが第１実施形態のフィルタープレス装置１と異なり、その他の点（構成、動作、その他の内容等）は、第１実施形態のフィルタープレス装置１と同一である。例えば、第５実施形態に係るフィルタープレス装置１においてガイド器具１００以外の構成は、図３〜図１３に示されるフィルタープレス装置１と同一である。よって、適宜これらの図が参照される。
【０１２８】
第５実施形態のフィルタープレス装置１では、ガイド器具５００を用いたガイド方法によって濾室４０から排出される残存物（脱水ケーキ）をガイドすることができる。このガイド方法では、フィルタープレス装置１の本体部（フィルタープレス装置１の全体からガイド器具５００を除いた部分）に対し、回転可能且つ揺動可能に設けられたガイド部材５０２を濾板群５の側方に配置する。具体的には、ガイド部材５０２を、濾板群５の側方且つ突出部４２の上方側において突出部４２から離して配置する。そして、フィルタープレス装置１での排出動作の際に、濾板群５から残存物（脱水ケーキ）がガイド部材５０２に向かって排出された場合に、この残存物（脱水ケーキ）をガイド部材５０２の表面部で受けつつ下方に落とすように案内する。フィルタープレス装置１での排出動作は、第１実施形態と同様である。なお、排出動作時に残存物（脱水ケーキ）がガイド部材５０２側に向かわずにそのまま落下する場合には、ガイド部材５０２によるガイドは、なされなくてよい。
【０１２９】
図１７の例では、ガイド部材５０２は、軸状且つ中実の棒状に構成された軸状部５２０を有する。軸状部５２０は、固定壁５１，５２（図５）に設けられた軸受に支持されつつ回転可能とされている。軸状部５２０は、固定壁５１と固定壁５２との間に架設されている。ガイド部材５０２を構成する軸状部５２０は、突出部４２の上方側において突出部４２から離れて配置される。ガイド部材５０２を構成する軸状部５２０は、若干の撓み変形（例えば弾性変形）が許容された構成をなし、少なくとも表面部が揺動自在である。ガイド部材５０２は、複数の濾板１０の各々の側部１０Ａに対向して配置される。具体的には、ガイド部材５０２は、複数の濾板１０の各々の側部１０Ａにそれぞれ接触する構成で、濾板群５の側部５Ａに接触して配置される。
【０１３０】
図１７に基づく代表例では、ガイド部材５０２が回転自在（回転可能）とされていたが、ガイド部材５０２が回転自在でなくてもよい。例えば、ガイド部材５０２の両端部が固定壁５１，５２において回転不能に固定された状態でガイド部材５０２が固定壁５１，５２の間に架け渡されていてもよい。
【０１３１】
図１７に基づく代表例では、ガイド部材５０２が揺動自在とされていたが、ガイド部材５０２は、揺動自在でなくてもよい。例えば、軸状部５２０は、撓み変形不能または撓み変形が極めて小さい構成をなしていてもよい。
【０１３２】
図１７に基づく代表例では、軸状部５２０が中実状の構成をなしていたが、軸状部５２０は、中空状の筒部として構成されていてもよい。
【０１３３】
＜第６実施形態＞
次の説明は、第６実施形態に係るフィルタープレス装置１及びガイド器具６００に関する。第６実施形態に関する説明では、主に、図１８が参照される。第６実施形態のフィルタープレス装置１は、ガイド器具１００をガイド器具６００に変更した点及び突出部４２に凹部４２Ａを設けた点のみが第１実施形態のフィルタープレス装置１と異なり、その他の点（構成、動作、その他の内容等）は、第１実施形態のフィルタープレス装置１と同一である。第６実施形態に係るフィルタープレス装置１においてガイド器具１００以外の構成は、図３〜図１３に示されるフィルタープレス装置１と同一である。よって、適宜これらの図が参照される。
【０１３４】
図１８に開示されるガイド器具６００は、第５実施形態に係るガイド部材５０２（図１７）と同様のガイド部材６０２を有する。ガイド部材６０２を構成する軸状部６２０は、第５実施形態の軸状部５２０と同様の構成をなす。図１８の例でも、ガイド部材６０２は、少なくとも表面部が回転自在とされている。但し、第６実施形態のガイド部材６０２は、第５実施形態のガイド部材５０２とは配置が異なっている。具体的には、ガイド部材６０２を構成する軸状部６２０が各突出部４２上に載置されつつ各突出部４２上で回転可能とされている。軸状部６２０の両端は、固定壁５１，５２において回転可能に保持されていてもよく、固定壁５１，５２に保持されない形態であってもよい。
【０１３５】
図１８に基づく代表例では、軸状部５２０が中実状の構成をなしていたが、軸状部５２０は、中空状の筒部として構成されていてもよい。
【０１３６】
＜第７実施形態＞
次の説明は、第７実施形態に係るフィルタープレス装置１及びガイド器具７００に関する。第７実施形態に関する説明では、主に、図１９、図２０が参照される。第７実施形態のフィルタープレス装置１は、ガイド器具１００をガイド器具７００に変更した点のみが第１実施形態のフィルタープレス装置１と異なり、その他の点（構成、動作、その他の内容等）は、第１実施形態のフィルタープレス装置１と同一である。第７実施形態に係るフィルタープレス装置１においてガイド器具１００以外の構成は、図３〜図１３に示されるフィルタープレス装置１と同一である。よって、適宜これらの図が参照される。
【０１３７】
図１９、図２０のように、第７実施形態のフィルタープレス装置１も、第１実施形態と同様に、所定方向（前後方向）に移動する複数の濾板１０を備えた濾板群５を有する。そして、第１実施形態と同様に、図４、図５のように、複数の濾板１０が互いに接近しつつ所定方向（前後方向）に重なって配置された接近状態のときに濾板群５の内部に構成される濾室４０（収容部）内に固液混合体が注入される。なお、フィルタープレス装置１の本体部においてなされる注入動作及び排出動作は、第１実施形態のフィルタープレス装置１の本体部においてなされる各動作と同様である。本実施形態のフィルタープレス装置１でも、複数の濾板１０が互いに離間した離間状態のときに濾室４０（収容部）内に収容された固液混合体の残存物（脱水ケーキ）が排出されるように動作する。
【０１３８】
第７実施形態のフィルタープレス装置１に用いられるガイド器具７００は、図９等で示される濾室４０（収容部）から側方に排出された残存物（脱水ケーキ）を受けるガイド部材７０２を有する。図２０のように、第７実施形態のフィルタープレス装置１は、左右方向両側にガイド器具７００がそれぞれ配置される。ガイド部材７０２は、主として、第１ガイド部材７０２Ａ及び第２ガイド部材７０２Ｂを備える。第１ガイド部材７０２Ａ及び第２ガイド部材７０２Ｂは、濾板群５を側方から覆う被覆部として機能する。第１ガイド部材７０２Ａはシート材７４０Ａからなる。第２ガイド部材７０２Ｂはシート材７４０Ｂからなる。シート材７４０Ａ及びシート材７４０Ｂはいずれも、突出部４１，４２よりも薄く構成され、撓み変形可能なシート材料によって構成されている。
【０１３９】
第７実施形態のフィルタープレス装置１では、ガイド器具７００を用いたガイド方法によって濾室４０（図９等）から排出される残存物（脱水ケーキ）をガイドすることができる。このガイド方法では、フィルタープレス装置１の本体部（フィルタープレス装置１の全体からガイド器具７００を除いた部分）に対し、ガイド部材７０２を濾板群５の側方に配置する。具体的には、第１ガイド部材７０２Ａを、濾板群５の側方且つ突出部４２の上方側において突出部４２から離して配置する。なお、第１ガイド部材７０２Ａの下端部は、突出部４２に接触していてもよい。また、第２ガイド部材７０２Ｂを、濾板群５の側方且つ突出部４２の下方側において突出部４２から離して配置する。なお、第２ガイド部材７０２Ｂの上端部は、突出部４２に接触していてもよい。そして、フィルタープレス装置１での排出動作の際に、濾板群５から残存物（脱水ケーキ）がガイド部材７０２に向かって排出された場合に、この残存物（脱水ケーキ）をガイド部材７０２の表面部（具体的には、濾板群５側のシート面）で受けつつ下方に落とすように案内する。フィルタープレス装置１での排出動作は、第１実施形態と同様である。なお、排出動作時に残存物（脱水ケーキ）がガイド部材７０２側に向かわずにそのまま落下する場合には、ガイド部材７０２によるガイドは、なされなくてよい。
【０１４０】
第１ガイド部材７０２Ａを構成するシート材７４０Ａ及び第２ガイド部材７０２Ｂを構成するシート材７４０Ｂは、樹脂材料などからなる防水性シートを好適に用いることができる。なお、シート材７４０Ａ及びシート材７４０Ｂは、シート状の構成であれば材料は限定されず、例えば、金属材料であってもよく、布などであってもよい。第１ガイド部材７０２Ａを構成するシート材７４０Ａ及び第２ガイド部材７０２Ｂを構成するシート材７４０Ｂはいずれも、両端部が固定壁５１，５２にそれぞれ固定され、固定壁５１，５２の間に架設されている。即ち、第１ガイド部材７０２Ａ及び第２ガイド部材７０２Ｂはいずれも、濾板群５よりも前後方向一方側の第１支持位置と濾板群５よりも前後方向他方側の第２支持位置との間に架け渡されている。シート材７４０Ａ及びシート材７４０Ｂの端部を固定壁５１，５２に固定するための方法は特に限定されない。シート材７４０Ａ及びシート材７４０Ｂは、ねじやボルト等の締結部材によって固定壁５１，５２に固定されていてもよく、接着剤等の接着媒体によって固定壁５１，５２に接合されていてもよく、その他の方法で固定壁５１，５２に固定されていてもよい。
【０１４１】
図２０の例では、第１ガイド部材７０２Ａ及び第２ガイド部材７０２Ｂは、濾板群５の側部５Ａに接触して配置されている。具体的には、シート材７４０Ａ及びシート材７４０Ｂの各々において、一方側のシート面が濾板群５の側部５Ａに接触している。但し、この構成に限定されず、第１ガイド部材７０２Ａ及び第２ガイド部材７０２Ｂの一方又は両方が濾板群５の側部５Ａから少し離れて配置されていてもよい。図１９のように、第１ガイド部材７０２Ａの上端は、前後方向に沿って延びている。また、第１ガイド部材７０２Ａの下端も、前後方向に沿って延びている。図２０のように、第１ガイド部材７０２Ａの上端は、濾室４０（図９等）の上端よりも上位置にあることが望ましい。第１ガイド部材７０２Ａの下端は、濾室４０の上端よりも下位置にあることが望ましい。図１９のように、第２ガイド部材７０２Ｂの上端は、前後方向に沿って延びている。また、第２ガイド部材７０２Ｂの下端も、前後方向に沿って延びている。第２ガイド部材７０２Ｂは、ガイドレール９０と濾板群５の間に配置される。
【０１４２】
第７実施形態に係るガイド器具７００及びガイド器具７００を用いたガイド方法によれば、フィルタープレス装置１の濾室４０（収容部）から残存物（脱水ケーキ）が側方に排出された場合に、ガイド部材７０２に当たる位置であれば、ガイド部材７０２によって残存物を受け、残存物がそれ以上側方に移動することを抑えるように案内することができる。しかも、ガイド部材７０２は、残存物（脱水ケーキ）を受けるとともに濾板群５を側方から覆うシート材からなる被覆部を有するため、シート材によって残存物を円滑に案内することができる。しかも、ガイド器具７００は、シート材からなる被覆部が濾板群５を側方から覆うため、被覆部付近において液体などが濾板群５側から側方へ飛散することを抑えやすい。
【０１４３】
＜第８実施形態＞
次の説明は、第８実施形態に係るフィルタープレス装置１及びガイド器具８００に関する。第８実施形態に関する説明では、主に、図２１、図２２が参照される。第８実施形態のフィルタープレス装置１は、ガイド器具１００をガイド器具８００に変更した点のみが第１実施形態のフィルタープレス装置１と異なり、その他の点（構成、動作、その他の内容等）は、第１実施形態のフィルタープレス装置１と同一である。第８実施形態に係るフィルタープレス装置１においてガイド器具１００以外の構成は、図３〜図１３に示されるフィルタープレス装置１と同一である。よって、適宜これらの図が参照される。
【０１４４】
図２１、図２２のように、第８実施形態のフィルタープレス装置１も、第１実施形態と同様に、所定方向（前後方向）に移動する複数の濾板１０を備えた濾板群５を有する。そして、第１実施形態と同様に、図４、図５のように、複数の濾板１０が互いに接近しつつ所定方向（前後方向）に重なって配置された接近状態のときに濾板群５の内部に構成される濾室４０（収容部）内に固液混合体が注入される。なお、フィルタープレス装置１の本体部においてなされる注入動作及び排出動作は、第１実施形態のフィルタープレス装置１の本体部においてなされる各動作と同様である。本実施形態のフィルタープレス装置１でも、複数の濾板１０が互いに離間した離間状態のときに濾室４０（収容部）内に収容された固液混合体の残存物（脱水ケーキ）が排出されるように動作する。
【０１４５】
第８実施形態のフィルタープレス装置１に用いられるガイド器具８００は、図９等で示される濾室４０（収容部）から側方に排出された残存物（脱水ケーキ）を受けるガイド部材８０２を有する。図２２のように、第８実施形態のフィルタープレス装置１は、濾板群５の左右方向両側にガイド器具８００がそれぞれ配置される。各ガイド部材８０２は、濾板群５を側方から覆う被覆部として機能する。各ガイド部材８０２は、所定の厚さの板材８４０からなる。図２１、図２２の例では、板材８４０は、板面が平坦である所定厚さの平板によって構成されている。
【０１４６】
第８実施形態のフィルタープレス装置１では、ガイド器具８００を用いたガイド方法によって濾室４０（図９等）から排出される残存物（脱水ケーキ）をガイドすることができる。このガイド方法では、フィルタープレス装置１の本体部（フィルタープレス装置１の全体からガイド器具８００を除いた部分）に対し、ガイド部材８０２を濾板群５の側方に配置する。具体的には、図２２のように、左右方向一方側のガイド部材８０２を構成する板材８４０を、濾板群５の一方側の側方且つ突出部４１の上方側において突出部４１から離して配置する。そして、左右方向他方側のガイド部材８０２を構成する板材８４０を、濾板群５の他方側の側方且つ突出部４２の上方側において突出部４２から離して配置する。なお、両板材８４０は、少なくも一部が濾室４０の上端よりも下位置に配置される。そして、フィルタープレス装置１での排出動作の際に、濾板群５から残存物（脱水ケーキ）が板材８４０に向かって排出された場合に、この残存物（脱水ケーキ）を板材８４０の表面部（具体的には、濾板群５側の板面）で受けつつ下方に落とすように案内する。フィルタープレス装置１での排出動作は、第１実施形態と同様である。なお、排出動作時に残存物（脱水ケーキ）がガイド部材８０２側に向かわずにそのまま落下する場合には、ガイド部材８０２によるガイドは、なされなくてよい。
【０１４７】
ガイド部材８０２を構成する板材８４０は、樹脂材料などからなる防水性板材であってもよく、木材であってもよく、金属材料からなる板材であってもよい。板材８４０は、板状の構成であれば材料は限定されない。両板材８４０はいずれも、両端部が固定壁５１，５２（図５等）にそれぞれ固定され、固定壁５１，５２の間に架設されている。即ち、両板材８４０はいずれも、濾板群５よりも前後方向一方側の第１支持位置と濾板群５よりも前後方向他方側の第２支持位置との間に架け渡されている。板材８４０の端部を固定壁５１，５２に固定するための方法は特に限定されない。板材８４０は、ねじやボルト等の締結部材によって固定壁５１，５２に固定されていてもよく、接着剤等の接着媒体によって固定壁５１，５２に接合されていてもよく、その他の方法で固定壁５１，５２に固定されていてもよい。
【０１４８】
図２２の例では、各板材８４０は、濾板群５の側部５Ａに接触して配置されている。具体的には、各板材８４０において、片側の板面が複数の濾板１０の各側部１０Ａにそれぞれ接触している。但し、この構成に限定されず、各板材８４０が濾板群５の側部５Ａから少し離れて配置されていてもよい。図２１のように、板材８４０の上端及び下端は、前後方向に沿って延びている。板材８４０の上端は、濾室４０（図９等）の上端よりも上位置にあることが望ましい。板材８４０の下端は、濾室４０の上端よりも下位置にあることが望ましい。
【０１４９】
第８実施形態に係るガイド器具８００及びガイド器具８００を用いたガイド方法によれば、フィルタープレス装置１の濾室４０（収容部）から残存物（脱水ケーキ）が側方に排出された場合に、ガイド部材８０２に当たる位置であれば、ガイド部材８０２によって残存物を受け、残存物がそれ以上側方に移動することを抑えるように案内することができる。しかも、ガイド部材８０２は、残存物（脱水ケーキ）を受けるとともに濾板群５を側方から覆う板材８４０からなる被覆部を有するため、板材８４０の板面によって残存物を円滑に案内することができる。しかも、ガイド器具７００は、板材８４０からなる被覆部が濾板群５を側方から覆うため、被覆部付近において液体などが濾板群５側から側方へ飛散することを抑えやすい。
【０１５０】
＜第９実施形態＞
次の説明は、第９実施形態に係るフィルタープレス装置１及びガイド器具９００に関する。第９実施形態に関する説明では、主に、図２３、図２４が参照される。第９実施形態のフィルタープレス装置１は、ガイド器具１００をガイド器具９００に変更した点のみが第１実施形態のフィルタープレス装置１と異なり、その他の点（構成、動作、その他の内容等）は、第１実施形態のフィルタープレス装置１と同一である。第９実施形態に係るフィルタープレス装置１においてガイド器具１００以外の構成は、図３〜図１３に示されるフィルタープレス装置１と同一である。よって、適宜これらの図が参照される。
【０１５１】
ガイド器具９００は、ガイド部材９０２を有する。ガイド部材９０２は、板材９４０からなる被覆部を有する。板材９４０は、残存物（脱水ケーキ）を受けるとともに濾板群５を側方から覆う構成をなす。図２４のように、第９実施形態のフィルタープレス装置１は、濾板群５の左右方向両側にガイド器具９００がそれぞれ配置される。各ガイド部材９０２は、濾板群５を側方から覆う被覆部として機能する。各ガイド部材９０２は、所定の厚さの板材９４０からなる。図２３、図２４の例では、板材９４０は、板面が平坦である所定厚さの平板によって構成されている。左右方向一方側のガイド部材９０２を構成する板材９４０は、左右方向一方側の突出部４１の上方側において突出部４１から離れて配置される。左右方向他方側のガイド部材９０２を構成する板材９４０は、左右方向他方側の突出部４２の上方側において突出部４２から離れて配置される。各板材９４０は、一部が濾板群５の側部５Ａに接触して配置されていてもよく、少し離れて配置されていてもよい。
【０１５２】
各板材９４０は、板面が平坦な平板であるが、上下方向に対して傾斜して配置されている。各板材９４０の上端部は前後方向に沿って延び、各板材９４０の下端部は前後方向に沿って延びている。各板材９４０における濾板群５側の板面は、前後方向に沿って延び、上下方向に対して傾斜した傾斜面とされている。各板材９４０における濾板群５側の板面は、上方側となるにつれて濾板群５から離れるように傾斜して配置される。
【０１５３】
＜第１０実施形態＞
次の説明は、第１０実施形態に係るフィルタープレス装置１及びガイド器具１０００に関する。第１０実施形態に関する説明では、主に、図２３、図２４が参照される。第９実施形態のフィルタープレス装置１は、ガイド器具１００をガイド器具８００に変更した点のみが第１実施形態のフィルタープレス装置１と異なり、その他の点（構成、動作、その他の内容等）は、第１実施形態のフィルタープレス装置１と同一である。第８実施形態に係るフィルタープレス装置１においてガイド器具１００以外の構成は、図３〜図１３に示されるフィルタープレス装置１と同一である。よって、ガイド器具１００以外は、適宜これらの図を参照する。
【０１５４】
ガイド器具１０００は、ガイド部材１００２を有する。ガイド部材１００２は、板材１０４０からなる被覆部を有する。板材１０４０は、残存物（脱水ケーキ）を受けるとともに濾板群５を側方から覆う構成をなす。図２６のように、第１０実施形態のフィルタープレス装置１は、濾板群５の左右方向両側にガイド器具１０００がそれぞれ配置される。各ガイド部材１００２は、濾板群５を側方から覆う被覆部として機能する。各ガイド部材１００２は、所定の厚さの板材１０４０からなる。図２３、図２４の例では、板材１０４０は、板面が曲面である所定厚さの湾曲板によって構成されている。左右方向一方側のガイド部材１００２を構成する板材１０４０は、左右方向一方側の突出部４１の上方側において突出部４１から離れて配置される。左右方向他方側のガイド部材１００２を構成する板材１０４０は、左右方向他方側の突出部４２の上方側において突出部４２から離れて配置される。各板材１０４０は、一部が濾板群５の側部５Ａに接触して配置されていてもよく、少し離れて配置されていてもよい。
【０１５５】
各板材１０４０は、板面が湾曲した板であるが、上下方向に対して傾斜して配置されている。各板材１０４０の上端部は前後方向に沿って延び、各板材１０４０の下端部は前後方向に沿って延びている。各板材１０４０における濾板群５側の板面（湾曲面）は、前後方向に沿って延び、上下方向に対して傾斜した傾斜面とされている。各板材１０４０における濾板群５側の板面は、上方側となるにつれて濾板群５から離れるように傾斜且つ湾曲して配置される。
【０１５６】
＜他の実施形態＞
本開示は、上記記述及び図面によって説明した実施形態に限定されるものではない。例えば、上述又は後述の実施形態の特徴は、矛盾しない範囲であらゆる組合せが可能である。また、上述又は後述の実施形態のいずれの特徴も、必須のものとして明示されていなければ省略することもできる。更に、上述した実施形態は、次のように変更されてもよい。
【０１５７】
上述の実施形態では、固液混合体の一例を説明したが、固液混合体は、上述した例以外のもので、少なくとも液体と固体（例えば、粉粒体、粉体、粒体の少なくともいずれか）とが混合したものであってもよい。
【０１５８】
上述した実施形態では、濾板１０は、正面視四角形状の構成であったが、濾板の形状は正面視四角形状のものに限定されない。濾板の外縁の形状は、四角形以外の多角形状であってもよく、一部又は全部が湾曲した外縁をなす構成であってもよく、その他の構成であってもよい。
【０１５９】
上述した実施形態では、濾板群５は、同様の構成をなす複数の濾板１０が並ぶ構成のものであったが、濾板群５の内部に濾室が構成される構成のものであればよい。例えば、フィルタープレス装置は、２種類以上の濾板を備えたものであってもよく、濾板間に枠体が介在する構成のものであってもよい。
【０１６０】
上述した実施形態では、濾板構造３において環状凸部２４と環状凹部３４とが設けられ、複数の濾板１０が密着したときに環状凹部３４内に環状凸部２４が入り込む構成であったが、この構成に限定されない。例えば、環状凸部２４の位置が第１押圧面２２と同様の平坦面であってもよい。即ち、環状凸部２４が存在せずに環状凸部２４の位置まで第１押圧面２２が及んでいてもよい。同様に、環状凹部３４の位置が第２押圧面３２と同様の平坦面であってもよい。即ち、環状凹部３４が存在せずに環状凹部３４の位置まで第２押圧面３２が及んでいてもよい。
【０１６１】
上述した実施形態では、濾板構造３を構成する各濾板１０において環状凸部２４と環状凹部３４とが設けられていたが、環状凸部２４の部分が、第１押圧面２２よりも突出する凸部と第１押圧面２２よりも凹む凹部を備えた第１環状凹凸部として構成されていてもよく、環状凹部３４の部分が、第２押圧面３２よりも突出する凸部と第２押圧面３２よりも凹む凹部を備えた第２環状凹凸部として構成されていてもよい。例えば、第１環状凹凸部は、中央側凹部１２Ａの周りに環状に配置され、周方向において凹部と凸部が交互に配される構成であってもよい。同様に、第２環状凹凸部は、中央側凹部１２Ｂの周りに環状に配置され、周方向において凹部と凸部が交互に配される構成であってもよい。そして、この場合の濾板構造は、隣り合う濾板１０が密着する際に、第１環状凹凸部の凸部が第２環状凹凸部の凹部内に入り込みつつ当該凹部を押圧し、第２環状凹凸部の凸部が第１環状凹凸部の凹部内に入り込みつつ当該凹部を押圧するような密封構造を有していてもよい。
【０１６２】
第１実施形態等では、ガイド部材の表面部が回転自在且つ揺動自在である構成を例示したが、表面部が揺動せずに回転のみが可能な構成であってもよい。或いは、表面部が回転せずに揺動のみが可能な構成であってもよい。
【０１６３】
いずれの実施形態においても、固定壁５１と固定壁５２の間でガイド部材を支えるように支持する中間支持部が設けられていてもよい。
【０１６４】
図１４、図１５の構成は、回転可能且つ揺動可能であったが、いずれか一つ又は全部が回転不能であってもよく、いずれか一つ又は全部が揺動不能であってもよい。図１４、図１５の構成では、２つのガイド部材が前後方向に沿って延びていたが、３以上のガイド部材が前後方向に沿って延びていてもよい。
【０１６５】
第１実施形態等では、筒部１２０が円筒である例を示したが、筒部１２０を用いるいずれの構成においても、筒部は円筒でなくてもよい。例えば、筒部１２０が、断面多角形状の角筒であってもよい。
【０１６６】
第１実施形態等では、複数の筒部１２０が並んだ例を示したが、筒部１２０を用いるいずれの構成においても、ガイド部材を構成する筒部が１つの筒部のみによって構成されていてもよい。
【０１６７】
第１実施形態等では、架設部１１０と筒部１２０とを備えた構成を例示したが、架設部１１０を用いるいずれの構成においても、筒部１２０が設けられずに、揺動可能な架設部１１０のみが設けられていてもよい。
【０１６８】
図１９等ではシート材が上下方向に沿って設けられた構成を例示したが、シート材を設けるいずれの構成においても、シート材が上下方向に対して傾斜して設けられていてもよい。例えば、濾板群５側の表面（シート面）が上方側となるにつれて濾板群５の側部５Ａから離れるように傾斜した配置であってもよい。
【０１６９】
ガイド部材としてシート材を用いるいずれの構成においても、シート材は、孔が形成されたものであってもよく、網状の構成であってもよい。
【０１７０】
ガイド部材として板材を用いるいずれの構成においても、板材は孔が形成された構成であってもよく、網状の構成であってもよい。
【０１７１】
上述した実施形態における異なる種類のガイド部材が併用されてもよい。ガイド部材を併用する場合、どのような組み合わせで併用されてもよい。例えば、図２７で例示されるガイド器具１１００は、第１実施形態のガイド部材１０２（図１等）と第８実施形態のガイド部材８０２が濾板群５の側方において上下に並ぶ構成で併用され、表面部が回転可能なガイド部材と板状又はシート状のガイド部材とが併用される構成をなす。
【０１７２】
第１実施形態等では、ガイド部材１０２が突出部４１，４２の上方側に配置された例を示したが、図２８に示されるガイド器具１２００のように、ガイド部材１２０２が突出部４２の下方側に配置されてもよい。ガイド部材１２０２は、配置以外はガイド部材１０２（図１等）と同一の構成をなす。
【０１７３】
第５実施形態等では、ガイド部材５０２が突出部４１，４２の上方側に配置された例を示したが、図２９に示されるガイド器具１３００のように、ガイド部材１３０２が突出部４２の下方側に配置されてもよい。ガイド部材１３０２は、配置以外はガイド部材５０２（図１７等）と同一の構成をなす。
【０１７４】
なお、今回開示された実施の形態は全ての点で例示であって制限的なものではないと考えられるべきである。本発明の範囲は、今回開示された実施の形態に限定されるものではなく、特許請求の範囲によって示された範囲内又は特許請求の範囲と均等の範囲内での全ての変更が含まれることが意図される。
【符号の説明】
【０１７５】
１        ：フィルタープレス装置
３        ：濾板構造
５        ：濾板群
５Ａ      ：側部
７        ：固液混合体
７Ａ      ：脱水ケーキ
１０      ：濾板
１０Ａ    ：側部
１１      ：基板部
１１Ａ    ：板状体
１１Ｂ    ：板状体
１２      ：中央側凹部
１２Ａ    ：中央側凹部
１２Ｂ    ：中央側凹部
１３      ：排水板
１３Ａ    ：排水板
１３Ｂ    ：排水板
１４      ：周縁側凸部
１４Ａ    ：周縁側凸部
１４Ｂ    ：周縁側凸部
１５Ａ    ：環状板部
１５Ｂ    ：環状板部
１６      ：貫通孔
１７Ａ    ：貫通孔側突起部
１７Ｂ    ：貫通孔側突起部
１８      ：濾布
１８Ａ    ：濾布
１８Ｂ    ：濾布
１９      ：排水板側突起部
１９Ａ    ：排水板側突起部
１９Ｂ    ：排水板側突起部
２２      ：第１押圧面
２４      ：環状凸部
２４Ａ    ：空隙部
２８      ：排水路
２８Ａ    ：排水路
２８Ｂ    ：排水路
３２      ：第２押圧面
３４      ：環状凹部
４０      ：濾室
４１      ：突出部
４２      ：突出部
４２Ａ    ：凹部
５０      ：保持装置
５１      ：固定壁
５２      ：固定壁
５４      ：駆動装置
５４Ａ    ：駆動部
５４Ｂ    ：駆動軸
５４Ｃ    ：作用部
６０      ：第１注入装置
６２      ：供給路
７０      ：第２注入装置
７２      ：供給路
８１      ：第１切替部
８２      ：第２切替部
９０      ：ガイドレール
９０Ａ    ：ガイドレール
９０Ｂ    ：ガイドレール
１００    ：ガイド器具
１０２    ：ガイド部材
１１０    ：架設部
１２０    ：筒部
１３０    ：保持部
１３１    ：保持部
１３２    ：保持部
２００    ：ガイド器具
２０２    ：ガイド部材
２０２Ａ  ：ガイド部材
２０２Ｂ  ：ガイド部材
３００    ：ガイド器具
３０２    ：ガイド部材
３０２Ａ  ：ガイド部材
３０２Ｂ  ：ガイド部材
４００    ：ガイド器具
５００    ：ガイド器具
５０２    ：ガイド部材
５２０    ：軸状部
６００    ：ガイド器具
６０２    ：ガイド部材
６２０    ：軸状部
７００    ：ガイド器具
７０２    ：ガイド部材
７０２Ａ  ：第１ガイド部材
７０２Ｂ  ：第２ガイド部材
７４０Ａ  ：シート材
７４０Ｂ  ：シート材
８００    ：ガイド器具
８０２    ：ガイド部材
８４０    ：板材
９００    ：ガイド器具
９０２    ：ガイド部材
９４０    ：板材
１０００  ：ガイド器具
１００２  ：ガイド部材
１０４０  ：板材
１１００  ：ガイド器具
１２００  ：ガイド器具
１２０２  ：ガイド部材
１３００  ：ガイド器具
１３０２  ：ガイド部材
【要約】
【課題】フィルタープレス装置において残存物を排出する際に、残存物を円滑に下方に案内する。
【解決手段】ガイド器具１００は、フィルタープレス装置１に用いられる器具である。フィルタープレス装置１は、所定方向に移動する複数の濾板１０を備えた濾板群５を有し、複数の濾板１０が互いに接近しつつ所定方向に重なって配置された接近状態のときに濾板群５の内部に構成される収容部内に固液混合体が注入される。フィルタープレス装置１は、複数の濾板１０が互いに離間した離間状態のときに収容部内に収容された固液混合体の残存物が排出される。ガイド器具１００は、収容部から側方に排出された残存物を受けるガイド部材１１０を有する。
【選択図】図１【図１】
0006804123.tif 000002
【図２】
0006804123.tif 000003
【図３】
0006804123.tif 000004
【図４】
0006804123.tif 000005
【図５】
0006804123.tif 000006
【図６】
0006804123.tif 000007
【図７】
0006804123.tif 000008
【図８】
0006804123.tif 000009
【図９】
0006804123.tif 000010
【図１０】
0006804123.tif 000011
【図１１】
0006804123.tif 000012
【図１２】
0006804123.tif 000013
【図１３】
0006804123.tif 000014
【図１４】
0006804123.tif 000015
【図１５】
0006804123.tif 000016
【図１６】
0006804123.tif 000017
【図１７】
0006804123.tif 000018
【図１８】
0006804123.tif 000019
【図１９】
0006804123.tif 000020
【図２０】
0006804123.tif 000021
【図２１】
0006804123.tif 000022
【図２２】
0006804123.tif 000023
【図２３】
0006804123.tif 000024
【図２４】
0006804123.tif 000025
【図２５】
0006804123.tif 000026
【図２６】
0006804123.tif 000027
【図２７】
0006804123.tif 000028
【図２８】
0006804123.tif 000029
【図２９】
0006804123.tif 000030